(57)【要約】  無線通信分野に属すアクセス制御方法および装置、プログラム及び記録媒体に関する。該方法は、無線ＬＡＮへのアクセスを要求するとき、自機とルータとの間でＬＤＰＣ符号化−復号化方式で通信するか否かを検出するステップと、自機とルータとの間でＬＤＰＣ符号化−復号化方式で通信することを確定できたときにルータと接続を構築するステップと、スマート機器からルータを介して無線ＬＡＮにアクセスするための無線ＬＡＮ情報を非ＬＤＰＣ符号化−復号化方式でブロードキャストさせるようにルータに通知するステップとを含む。該装置は、検出モジュール、接続モジュールおよび通知モジュールを含む。本発明によれば、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。【選択図】        図１
2017520206.tif 000002
【特許請求の範囲】
【請求項１】
アクセスを制御する方法であって、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することを確定できたときに、前記ルータと接続を構築するステップと、
スマート機器から前記ルータを介して前記無線ＬＡＮにアクセスするための前記無線ＬＡＮの情報を非ＬＤＰＣ符号化−復号化方式でブロードキャストさせるように、前記ルータに通知するステップと、
を含むことを特徴とする方法。
【請求項２】
前記ルータと接続を構築するステップは、
前記ルータと協議し、前記ＬＤＰＣ符号化−復号化方式を非ＬＤＰＣ符号化−復号化方式に切り替えるステップと、
前記非ＬＤＰＣ符号化−復号化方式で前記ルータと接続を構築するステップと、を含むことを特徴とする請求項１に記載の方法。
【請求項３】
前記ルータと接続を構築するステップは、
前記ルータと協議し、８０２．１１ｎプロトコールを８０２．１１ｂ／ｇプロトコールに切り替えるステップと、
前記８０２．１１ｂ／ｇプロトコールに基づく符号化−復号化方式で前記ルータと接続を構築するステップと、を含むことを特徴とする請求項１に記載の方法。
【請求項４】
前記無線ＬＡＮの情報を非ＬＤＰＣ符号化−復号化方式でブロードキャストさせるように前記ルータに通知するステップは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知するステップを含むことを特徴とする請求項１に記載の方法。
【請求項５】
アクセスを制御する方法であって、
端末により無線ＬＡＮへのアクセスを要求するとき、前記端末と接続を構築するステップと、
前記端末から送信される通知メッセージであって、非低密度パリティ検査符号（ＬＤＰＣ）符号化−復号化方式で前記無線ＬＡＮの情報をブロードキャストさせるための通知メッセージを受信するステップと、
スマート機器から前記無線ＬＡＮにアクセスするための前記無線ＬＡＮの情報を非ＬＤＰＣ符号化−復号化方式でブロードキャストするステップと、
を含むことを特徴とする方法。
【請求項６】
前記スマート機器から送信された、前記無線ＬＡＮの情報を含んだアクセス要求を受信するステップと、
前記アクセス要求に基づき、前記スマート機器と接続を構築するステップと、
をさらに含むことを特徴とする請求項５に記載の方法。
【請求項７】
前記無線ＬＡＮの情報を非ＬＤＰＣ符号化−復号化方式でブロードキャストするステップは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストするステップ、または、
指定の符号化−復号化方式が前記通知メッセージに含まれていない場合には、任意に選択された１つの非ＬＤＰＣ符号化−復号化方式で前記無線ＬＡＮの情報をブロードキャストするステップを、
含むことを特徴とする請求項５に記載の方法。
【請求項８】
前記端末と接続を構築するステップは、
前記端末と協議し、前記ＬＤＰＣ符号化−復号化方式を非ＬＤＰＣ符号化−復号化方式に切り替えるステップと、
前記非ＬＤＰＣ符号化−復号化方式で前記端末と接続を構築するステップと、
を含むことを特徴とする請求項５に記載の方法。
【請求項９】
前記端末と接続を構築するステップは、
前記端末と協議し、８０２．１１ｎプロトコールを８０２．１１ｂ／ｇプロトコールに切り替えるステップと、
前記８０２．１１ｂ／ｇプロトコールに基づく符号化−復号化方式で前記端末と接続を構築するステップと、
を含むことを特徴とする請求項５に記載の方法。
【請求項１０】
アクセスを制御する装置であって、
無線ＬＡＮへのアクセスを要求するとき、自機とルータとの間で低密度パリティ検査符号（ＬＤＰＣ）符号化−復号化方式を用いて通信するか否かを検出する検出モジュールと、
前記装置と前記ルータとの間でＬＤＰＣ符号化−復号化方式を用いて通信することを確定できたときに、前記ルータと接続を構築する接続モジュールと、
スマート機器から前記ルータを介して前記無線ＬＡＮにアクセスするための前記無線ＬＡＮの情報を非ＬＤＰＣ符号化−復号化方式でブロードキャストさせるように前記ルータに通知する通知モジュールと、
を含むことを特徴とする装置。
【請求項１１】
前記接続モジュールは、
前記装置と前記ルータとの間でＬＤＰＣ符号化−復号化方式を用いて通信することを確定できたときに、前記ルータと協議して前記ＬＤＰＣ符号化−復号化方式を非ＬＤＰＣ符号化−復号化方式に切り替え、前記非ＬＤＰＣ符号化−復号化方式で前記ルータと接続を構築する第一接続サブモジュールを、
含むことを特徴とする請求項１０に記載の装置。
【請求項１２】
前記接続モジュールは、
前記装置と前記ルータとの間でＬＤＰＣ符号化−復号化方式を用いて通信することを確定できたときに、前記ルータと協議して８０２．１１ｎプロトコールを８０２．１１ｂ／ｇプロトコールに切り替え、前記８０２．１１ｂ／ｇプロトコールに基づく符号化−復号化方式で前記ルータと接続を構築する第二接続サブモジュールを、
含むことを特徴とする請求項１０に記載の装置。
【請求項１３】
前記通知モジュールは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知する通知サブモジュールを、
含むことを特徴とする請求項１０に記載の装置。
【請求項１４】
アクセスを制御する装置であって、
端末により無線ＬＡＮへのアクセスを要求するとき、前記端末と接続を構築する接続モジュールと、
前記端末から送信される通知メッセージであって、非低密度パリティ検査符号（ＬＤＰＣ）符号化−復号化方式で前記無線ＬＡＮの情報をブロードキャストさせるための通知メッセージを受信する受信モジュールと、
スマート機器から前記無線ＬＡＮにアクセスするための前記無線ＬＡＮの情報を非ＬＤＰＣ符号化−復号化方式でブロードキャストするブロードキャストモジュールと、
を含むことを特徴とする装置。
【請求項１５】
前記受信モジュールは、さらに、前記スマート機器から送信された、前記無線ＬＡＮの情報を含んだアクセス要求を受信し、
前記接続モジュールは、さらに、前記アクセス要求に基づいて前記スマート機器と接続を構築することを、特徴とする請求項１４に記載の装置。
【請求項１６】
前記ブロードキャストモジュールは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストする第一ブロードキャストサブモジュール、または、
指定の符号化−復号化方式が前記通知メッセージに含まれていない場合には、選択された任意の１つの非ＬＤＰＣ符号化−復号化方式で前記無線ＬＡＮの情報をブロードキャストする第二ブロードキャストサブモジュールを、
含むことを特徴とする請求項１４に記載の装置。
【請求項１７】
前記接続モジュールは、
端末により無線ＬＡＮへのアクセスを要求するとき、前記端末と協議して前記ＬＤＰＣ符号化−復号化方式を非ＬＤＰＣ符号化−復号化方式に切り替え、前記非ＬＤＰＣ符号化−復号化方式で前記端末と接続を構築する第一接続サブモジュールを、
含むことを特徴とする請求項１４に記載の装置。
【請求項１８】
前記接続モジュールは、
端末により無線ＬＡＮへのアクセスを要求するとき、前記端末と協議して８０２．１１ｎプロトコールを８０２．１１ｂ／ｇプロトコールに切り替え、前記８０２．１１ｂ／ｇプロトコールに基づく符号化−復号化方式で前記端末と接続を構築する第二接続サブモジュールを、
含むことを特徴とする請求項１４に記載の装置。
【請求項１９】
アクセスを制御する装置であって、
プロセッサと、プロセッサが実行可能なコマンドを記憶するメモリとを含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することを確定できたときに、前記ルータと接続を構築し、
スマート機器から前記ルータを介して前記無線ＬＡＮにアクセスするための前記無線ＬＡＮの情報を非ＬＤＰＣ符号化−復号化方式でブロードキャストさせるように前記ルータに通知する、ように構成されていることを特徴とする装置。
【請求項２０】
アクセスを制御する装置であって、
プロセッサと、プロセッサが実行可能なコマンドを記憶するメモリとを含み、
前記プロセッサは、
端末により無線ＬＡＮへのアクセスを要求するとき、前記端末と接続を構築し、
前記端末から送信される通知メッセージであって、非低密度パリティ検査符号（ＬＤＰＣ）符号化−復号化方式で前記無線ＬＡＮの情報をブロードキャストさせるための通知メッセージを受信し、
スマート機器から前記無線ＬＡＮにアクセスするための前記無線ＬＡＮの情報を非ＬＤＰＣ符号化−復号化方式でブロードキャストする、ように構成されていることを特徴とする装置。
【発明の詳細な説明】
【技術分野】
【０００１】
本願は、出願番号２０１５１０１８８５６２．８、出願日２０１５年４月２０日である中国特許出願に基づいて提出されるものであり、当該中国特許出願の優先権を主張する。ここで、当該中国特許出願の全ての内容は、参考として本願に組み込まれるものとする。
【０００２】
本発明は無線通信分野に関し、特にアクセスを制御する方法および装置に関する。
【背景技術】
【０００３】
低密度パリティ検査符号（Ｌｏｗ  Ｄｅｎｓｉｔｙ  Ｐａｒｉｔｙ  Ｃｈｅｃｋ  Ｃｏｄｅ；略称：ＬＤＰＣ）は、疎検査行列を有する線性セット符号として、シャノン（Ｓｈａｎｎｏｎ）限界に迫る優れた性能を備えるだけではなく、復号化の複雑さが低く、構成に柔軟性を有するため、近年のチャネル符号化の分野では盛んに研究されている。
【０００４】
ＬＤＰＣ符号化は、用いれば無線通信レートの高速化に有効であるため、選択してもよい符号化方式として８０２．１１ｎに導入されている。一部の高性能のルータおよびスマートフォンでは、このような符号化方式がサポートされている。ＬＤＰＣ符号化方式をサポートする携帯電話が、ＬＤＰＣ符号化をサポートするルータに接続する際は、両者が関連のプロセスにおいて協議し、ＬＤＰＣ符号化方式を用いて後に続くデータ通信を行うことで、無線通信の効率が向上する。
【発明の概要】
【発明が解決しようとする課題】
【０００５】
上記に鑑み、本発明は、ＬＤＰＣ符号化機能を備えないスマート機器によるアクセスを実現可能な、アクセスを制御する方法および装置を提供する。
【課題を解決するための手段】
【０００６】
本発明の実施例の第一形態によれば、アクセスを制御する方法であって、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することを確定できたときに、前記ルータと接続を構築するステップと、
スマート機器から前記ルータを介して前記無線ＬＡＮにアクセスするための前記無線ＬＡＮの情報を非ＬＤＰＣ符号化−復号化方式でブロードキャストさせるように前記ルータに通知するステップと、を含む方法を提供する。
【０００７】
また、選択可能な態様として、前記ルータと接続を構築するステップは、
前記ルータと協議し、前記ＬＤＰＣ符号化−復号化方式を非ＬＤＰＣ符号化−復号化方式に切り替えるステップと、
前記非ＬＤＰＣ符号化−復号化方式で前記ルータと接続を構築するステップと、を含む。
【０００８】
また、選択可能な態様として、前記ルータと接続を構築するステップは、
前記ルータと協議し、８０２．１１ｎプロトコールを８０２．１１ｂ／ｇプロトコールに切り替えるステップと、
前記８０２．１１ｂ／ｇプロトコールに基づく符号化−復号化方式で前記ルータと接続を構築するステップと、を含む。
【０００９】
また、選択可能な態様として、前記無線ＬＡＮの情報を非ＬＤＰＣ符号化−復号化方式でブロードキャストさせるように前記ルータに通知するステップは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知するステップを含む。
【００１０】
本発明の実施例の第二形態によれば、アクセスを制御する方法であって、
端末により無線ＬＡＮへのアクセスを要求するとき、前記端末と接続を構築するステップと、
前記端末から送信される通知メッセージであって、非低密度パリティ検査符号（ＬＤＰＣ）符号化−復号化方式で前記無線ＬＡＮの情報をブロードキャストさせるための通知メッセージを受信するステップと、
スマート機器から前記無線ＬＡＮにアクセスするための前記無線ＬＡＮの情報を非ＬＤＰＣ符号化−復号化方式でブロードキャストするステップと、を含む方法を提供する。
【００１１】
また、選択可能な態様として、前記方法は、
前記スマート機器から送信された、前記無線ＬＡＮの情報を含んだアクセス要求を受信するステップと、
前記アクセス要求に基づき、前記スマート機器と接続を構築するステップと、をさらに含む。
【００１２】
また、選択可能な態様として、前記無線ＬＡＮの情報を非ＬＤＰＣ符号化−復号化方式でブロードキャストするステップは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストするステップ、または、
指定の符号化−復号化方式が前記通知メッセージに含まれていない場合には、任意に選択された１つの非ＬＤＰＣ符号化−復号化方式で前記無線ＬＡＮの情報をブロードキャストするステップを含む。
【００１３】
また、選択可能な態様として、前記端末と接続を構築するステップは、
前記端末と協議し、前記ＬＤＰＣ符号化−復号化方式を非ＬＤＰＣ符号化−復号化方式に切り替えるステップと、
前記非ＬＤＰＣ符号化−復号化方式で前記端末と接続を構築するステップと、を含む。
【００１４】
また、選択可能な態様として、前記端末と接続を構築するステップは、
前記端末と協議し、８０２．１１ｎプロトコールを８０２．１１ｂ／ｇプロトコールに切り替えるステップと、
前記８０２．１１ｂ／ｇプロトコールに基づく符号化−復号化方式で前記端末と接続を構築するステップと、を含む。
【００１５】
本発明の実施例の第三形態によれば、アクセスを制御する装置であって、
無線ＬＡＮへのアクセスを要求するとき、自機とルータとの間で低密度パリティ検査符号（ＬＤＰＣ）符号化−復号化方式を用いて通信するか否かを検出する検出モジュールと、
前記装置と前記ルータとの間でＬＤＰＣ符号化−復号化方式を用いて通信することを確定できたときに、前記ルータと接続を構築する接続モジュールと、
スマート機器から前記ルータを介して前記無線ＬＡＮにアクセスするための前記無線ＬＡＮの情報を非ＬＤＰＣ符号化−復号化方式でブロードキャストさせるように前記ルータに通知する通知モジュールと、を含む装置を提供する。
【００１６】
また、選択可能な態様として、前記接続モジュールは、
前記装置と前記ルータとの間でＬＤＰＣ符号化−復号化方式を用いて通信することを確定できたときに、前記ルータと協議して前記ＬＤＰＣ符号化−復号化方式を非ＬＤＰＣ符号化−復号化方式に切り替え、前記非ＬＤＰＣ符号化−復号化方式で前記ルータと接続を構築する第一接続サブモジュールを、含む。
【００１７】
また、選択可能な態様として、前記接続モジュールは、
前記装置と前記ルータとの間でＬＤＰＣ符号化−復号化方式を用いて通信することを確定できたときに、前記ルータと協議して８０２．１１ｎプロトコールを８０２．１１ｂ／ｇプロトコールに切り替え、前記８０２．１１ｂ／ｇプロトコールに基づく符号化−復号化方式で前記ルータと接続を構築する第二接続サブモジュールを、含む。
【００１８】
また、選択可能な態様として、前記通知モジュールは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知する通知サブモジュールを、含む。
【００１９】
本発明の実施例の第四形態によれば、アクセスを制御する装置であって、
端末により無線ＬＡＮへのアクセスを要求するとき、前記端末と接続を構築する接続モジュールと、
前記端末から送信される通知メッセージであって、非低密度パリティ検査符号（ＬＤＰＣ）符号化−復号化方式で前記無線ＬＡＮの情報をブロードキャストさせるための通知メッセージを受信する受信モジュールと、
スマート機器から前記無線ＬＡＮにアクセスするための前記無線ＬＡＮの情報を非ＬＤＰＣ符号化−復号化方式でブロードキャストするブロードキャストモジュールと、を含む装置を提供する。
【００２０】
また、選択可能な態様として、前記受信モジュールは、さらに、前記スマート機器から送信された、前記無線ＬＡＮの情報を含んだアクセス要求を受信し、
前記接続モジュールは、さらに、前記アクセス要求に基づいて前記スマート機器と接続を構築する。
【００２１】
また、選択可能な態様として、前記ブロードキャストモジュールは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストする第一ブロードキャストサブモジュール、または、
指定の符号化−復号化方式が前記通知メッセージに含まれていない場合には、選択された任意の１つの非ＬＤＰＣ符号化−復号化方式で前記無線ＬＡＮの情報をブロードキャストする第二ブロードキャストサブモジュールを、含む。
【００２２】
また、選択可能な態様として、前記接続モジュールは、
端末により無線ＬＡＮへのアクセスを要求するとき、前記端末と協議して前記ＬＤＰＣ符号化−復号化方式を非ＬＤＰＣ符号化−復号化方式に切り替え、前記非ＬＤＰＣ符号化−復号化方式で前記端末と接続を構築する第一接続サブモジュールを、含む。
【００２３】
また、選択可能な態様として、前記接続モジュールは、
端末により無線ＬＡＮへのアクセスを要求するとき、前記端末と協議して８０２．１１ｎプロトコールを８０２．１１ｂ／ｇプロトコールに切り替え、前記８０２．１１ｂ／ｇプロトコールに基づく符号化−復号化方式で前記端末と接続を構築する第二接続サブモジュールを、含む。
【００２４】
本発明の実施例の第五形態によれば、アクセスを制御する装置であって、
プロセッサと、プロセッサが実行可能なコマンドを記憶するメモリとを含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することを確定できたときに、前記ルータと接続を構築し、
スマート機器から前記ルータを介して前記無線ＬＡＮにアクセスするための前記無線ＬＡＮの情報を非ＬＤＰＣ符号化−復号化方式でブロードキャストさせるように前記ルータに通知するように構成されている、装置を提供する。
【００２５】
本発明の実施例の第六形態によれば、アクセスを制御する装置であって、
プロセッサと、プロセッサが実行可能なコマンドを記憶するメモリとを含み、
前記プロセッサは、
端末により無線ＬＡＮへのアクセスを要求するとき、前記端末と接続を構築し、
前記端末から送信される通知メッセージであって、非低密度パリティ検査符号（ＬＤＰＣ）符号化−復号化方式で前記無線ＬＡＮの情報をブロードキャストさせるための通知メッセージを受信し、
スマート機器から前記無線ＬＡＮにアクセスするための前記無線ＬＡＮの情報を非ＬＤＰＣ符号化−復号化方式でブロードキャストするように構成されている、装置を提供する。
【発明の効果】
【００２６】
本発明の実施例で提供された技術的構成は次の有益な効果を奏する。すなわち、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように、前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００２７】
なお、以上の基本の説明および後述の詳細な記載は、単に例示的および説明的なものであり、本発明を限定するものではないと理解されるべきである。
【図面の簡単な説明】
【００２８】
ここでの図面は、明細書に組み込まれて明細書の一部を構成し、本発明に合致する実施例を示すと共に、明細書と併せて本発明の原理の解釈に用いられるものである。
【００２９】
【図１】例示的な一実施例に係る、アクセスを制御する方法を示すフローチャートである。
【図２】例示的な別の実施例に係る、アクセスを制御する方法を示すフローチャートである。
【図３】例示的な別の実施例に係る、アクセスを制御する方法を示すフローチャートである。
【図４】例示的な別の実施例に係る、アクセスを制御する方法を示すフローチャートである。
【図５】例示的な別の実施例に係る、アクセスを制御する方法を示すフローチャートである。
【図６】例示的な別の実施例に係る端末のインターフェース表示を示す模式図である。
【図７】例示的な別の実施例に係る、アクセスを制御する装置を示すブロック図である。
【図８】例示的な別の実施例に係る、アクセスを制御する装置を示すブロック図である。
【図９】例示的な別の実施例に係る、アクセスを制御する装置を示すブロック図である。
【図１０】例示的な別の実施例に係る、アクセスを制御する装置を示すブロック図である。
【図１１】例示的な別の実施例に係る、アクセスを制御する装置を示すブロック図である。
【図１２】例示的な別の実施例に係る、アクセスを制御する装置を示すブロック図である。
【図１３】例示的な別の実施例に係る、アクセスを制御する装置を示すブロック図である。
【図１４】例示的な別の実施例に係る、アクセスを制御する装置を示すブロック図である。
【図１５】例示的な別の実施例に係る、アクセスを制御する装置を示すブロック図である。
【図１６】例示的な別の実施例に係る、アクセスを制御する装置を示すブロック図である。
【図１７】例示的な別の実施例に係る、アクセスを制御する装置を示すブロック図である。
【発明を実施するための形態】
【００３０】
続いて、図面に示された例示的な実施例を詳細に説明する。なお、以下の記載において図面を言及する場合、特に説明しない限り、異なる図面における同一番号は、同一または類似の要素を示す。また、以下の例示的な実施例に記載される実施形態は、本発明に一致する全ての実施形態を代表するものではない。逆に、これら例示的な実施例は、添付された特許請求の範囲に詳細に記載される、本発明の一部の局面に一致する装置及び方法の例にすぎない。
【００３１】
図１は、例示的な一実施例に係る、アクセスを制御する方法を示すフローチャートである。図１に示すように、該方法は端末に適用される方法であって、次のステップを含む。
【００３２】
ステップＳ１１では、無線ＬＡＮ（ローカル・エリア・ネットワーク）へのアクセスを要求するとき、自機とルータとの間で低密度パリティ検査符号（ＬＤＰＣ）符号化−復号化方式を用いて通信するか否かを検出する。
【００３３】
ステップＳ１２では、自機と該ルータとの間でＬＤＰＣ符号化−復号化方式を用いて通信することを確定できたときに、該ルータと接続を構築する。
【００３４】
ステップＳ１３では、スマート機器から該ルータを介して該無線ＬＡＮにアクセスするための該無線ＬＡＮの情報を非ＬＤＰＣ符号化−復号化方式でブロードキャストさせるように該ルータに通知する。
【００３５】
本実施例における前記端末は、携帯電話、ノート型コンピュータ、タブレットコンピュータなどを含むが、これらに限定されない。前記端末、ルータおよびスマート機器は、共に同一の無線ＬＡＮ内に含まれる。ルータはアクセスされる機器である。端末およびスマート機器は、該ルータを介して該無線ＬＡＮにアクセスし、さらにインターネットにアクセスすることができる。前記スマート機器は、テレビ、冷蔵庫、電子レンジ、カメラなどを含むが、これらに限定されない。
【００３６】
なお、無線ＬＡＮの情報には、無線ＬＡＮの識別子および暗証番号が含まれるが、これらに限定されない。また、該識別子は、サービスセットＩＤ（Ｓｅｒｖｉｃｅ  Ｓｅｔ  Ｉｄｅｎｔｉｆｉｅｒ；略称：ＳＳＩＤ）であってもよく、例えばＬＡＮの名称  として「ＤＬＩＮＫ１」などである。
【００３７】
本実施例では、選択可能な態様として、該ルータと接続を構築する処理は、
該ルータと協議し、該ＬＤＰＣ符号化−復号化方式を非ＬＤＰＣ符号化−復号化方式に切り替えるステップと、
該非ＬＤＰＣ符号化−復号化方式で該ルータと接続を構築するステップと、を含む。
【００３８】
また、本実施例では、選択可能な態様として、該ルータと接続を構築する処理は、
該ルータと協議し、８０２．１１ｎプロトコールを８０２．１１ｂ／ｇプロトコールに切り替えるステップと、
該８０２．１１ｂ／ｇプロトコールに基づく符号化−復号化方式で、該ルータと接続を構築するステップと、を含む。
【００３９】
また、本実施例では、選択可能な態様として、該無線ＬＡＮの情報を非ＬＤＰＣ符号化−復号化方式でブロードキャストさせるように該ルータに通知する処理は、指定の符号化−復号化方式を含んだ通知メッセージを該ルータに送信し、該指定の符号化−復号化方式で該無線ＬＡＮの情報をブロードキャストさせるように該ルータに通知するステップを含む。前記指定とは、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときには前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知することをいう。これにより、ＬＤＰＣ符号化機能を備えないスマート機器であっても、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００４０】
図２は、例示的な別の実施例に係る、アクセスを制御する方法を示すフローチャートである。図２に示すように、該方法はルータに適用される方法であって、次のステップを含む。
【００４１】
ステップＳ２１では、端末により無線ＬＡＮへのアクセスを要求するとき、該端末と接続を構築する。
【００４２】
なお、ルータと端末との接続を構築した後に、端末は該ルータを介してインターネットにアクセスしてもよい。
【００４３】
ステップＳ２２では、該端末から送信される、非低密度パリティ検査符号（ＬＤＰＣ）符号化−復号化方式で該無線ＬＡＮの情報をブロードキャストさせるための通知メッセージを受信する。
【００４４】
選択可能な態様として、該通知メッセージは、単独の通知メッセージであってもよく、接続構築メッセージを通知メッセージとしてもよい。例えば、接続構築メッセージに識別子を埋め込んでルータに通知する。この場合、端末からの接続構築メッセージを受信した時は、通知メッセージを受信したことを意味する。
【００４５】
ステップＳ２３では、スマート機器から該無線ＬＡＮにアクセスするための該無線ＬＡＮの情報を非ＬＤＰＣ符号化−復号化方式でブロードキャストする。
【００４６】
なお、ルータがブロードキャストする報知メッセージは、該無線ＬＡＮ内に含まれる何れか１つのスマート機器に受信される。通常では、ＬＤＰＣ符号化−復号化の機能を有するスマート機器もあれば、ＬＤＰＣ符号化−復号化の機能を有さないスマート機器もあるが、本実施例におけるスマート機器とは、ＬＤＰＣ符号化−復号化機能を有さないスマート機器を指す。ルータが非ＬＤＰＣ符号化方式で無線ＬＡＮの情報をブロードキャストする場合において、スマート機器は無線ＬＡＮの情報を受信、解析し、さらにルータと接続を構築することができる。そうでなければ、スマート機器はルータにアクセスできず、接続の失敗となる。
【００４７】
本実施例では、選択可能な態様として、該方法は、
該スマート機器から送信された、該無線ＬＡＮの情報を含んだアクセス要求を受信するステップと、
該アクセス要求に基づき、該スマート機器と接続を構築するステップと、をさらに含む。
【００４８】
また、本実施例では、選択可能な態様として、該無線ＬＡＮの情報を非ＬＤＰＣ符号化−復号化方式でブロードキャストする処理は、
非ＬＤＰＣ符号化−復号化方式である指定の符号化−復号化方式が該通知メッセージに含まれている場合には、該指定の符号化−復号化方式で該無線ＬＡＮの情報をブロードキャストするステップ、または、
指定の符号化−復号化方式が該通知メッセージに含まれていない場合には、任意に選択された１つの非ＬＤＰＣ符号化−復号化方式で該無線ＬＡＮの情報をブロードキャストするステップを含む。
【００４９】
また、本実施例では、選択可能な態様として、該端末と接続を構築する処理は、
該端末と協議し、該ＬＤＰＣ符号化−復号化方式を非ＬＤＰＣ符号化−復号化方式に切り替えるステップと、
該非ＬＤＰＣ符号化−復号化方式で該端末と接続を構築するステップと、を含む。
【００５０】
また、本実施例では、選択可能な態様として、該端末と接続を構築する処理は、
該端末と協議し、８０２．１１ｎプロトコールを８０２．１１ｂ／ｇプロトコールに切り替えるステップと、
該８０２．１１ｂ／ｇプロトコールに基づく符号化−復号化方式で、該端末と接続を構築するステップと、を含む。
【００５１】
本実施例で提供される上述した方法によれば、端末により無線ＬＡＮへのアクセスを要求するとき、該端末と接続を構築し、該端末から送信される通知メッセージであって、スマート機器から該無線ＬＡＮにアクセスするための該無線ＬＡＮの情報を非低密度パリティ検査符号（ＬＤＰＣ）符号化−復号化方式でブロードキャストさせるための通知メッセージを受信し、非ＬＤＰＣ符号化−復号化方式で該無線ＬＡＮの情報をブロードキャストする。これにより、ＬＤＰＣ符号化機能を備えないスマート機器でも、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００５２】
図３は、例示的な別の実施例に係る、アクセスを制御する方法を示すフローチャートである。図３に示すように、該方法は端末に適用される方法であって、次のステップを含む。
【００５３】
ステップＳ３１では、無線ＬＡＮへのアクセスを要求するとき、自機とルータとの間で低密度パリティ検査符号（ＬＤＰＣ）符号化−復号化方式を用いて通信するか否かを検出する。
【００５４】
なお、アクセスしたい無線ＬＡＮを端末のインターフェースから選択し、該無線ＬＡＮの暗証番号を入力することをトリガーとして、該無線ＬＡＮへのアクセスを要求してもよい。
【００５５】
ステップＳ３２では、自機と該ルータとの間でＬＤＰＣ符号化−復号化方式を用いて通信することを確定できたときに、該ルータと協議し、該ＬＤＰＣ符号化−復号化方式を非ＬＤＰＣ符号化−復号化方式に切り替える。
【００５６】
通常、端末およびルータの両方がＬＤＰＣ符号化−復号化方式をサポートしている場合には、效率向上のために、該ＬＤＰＣ符号化−復号化方式をデフォルトとして通信を行うことになる。本実施例では、端末がルータに対して協議を行うことにより、両方とも非ＬＤＰＣ符号化−復号化方式に切り替える。これにより、現在に非ＬＤＰＣ符号化−復号化方式でルータと通信することを確保する。
【００５７】
ステップＳ３３では、該非ＬＤＰＣ符号化−復号化方式で該ルータと接続を構築する。
【００５８】
ステップＳ３４では、スマート機器から該ルータを介して該無線ＬＡＮにアクセスするための該無線ＬＡＮの情報を非ＬＤＰＣ符号化−復号化方式でブロードキャストさせるように、該ルータに通知する。
【００５９】
なお、端末およびルータがプロトコールを切り替えずに８０２．１１ｎプロトコールのままで通信する場合には、該８０２．１１ｎプロトコールに基づく任意の１つの非ＬＤＰＣ符号化−復号化方式を選択して通信を行ってもよく、本実施例ではこれを具体的に限定しない。
【００６０】
本実施例では、選択可能な態様として、上記ステップＳ３２およびＳ３３は、下記のステップに置き換えてもよい。すなわち、
自機と該ルータとの間でＬＤＰＣ符号化−復号化方式を用いて通信することを確定できたときに、該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築する。
【００６１】
なお、８０２．１１ｂ／ｇプロトコールにはＬＤＰＣ符号化−復号化方式が含まれていないため、端末およびルータが８０２．１１ｂ／ｇプロトコールを用いる場合には、該８０２．１１ｂ／ｇプロトコールに基づく任意の１つの符号化−復号化方式、すなわち非ＬＤＰＣ符号化−復号化方式を用いればよい。
【００６２】
本実施例では、選択可能な態様として、非ＬＤＰＣ符号化−復号化方式で該無線ＬＡＮの情報をブロードキャストさせるように該ルータに通知する処理は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように、該ルータに通知するステップを含む。
【００６３】
なお、端末は、１つの非ＬＤＰＣ符号化−復号化方式を指定し、ルータに通知してもよい。ルータは、該通知を受信すると、端末が指定した非ＬＤＰＣ符号化−復号化方式に応じて報知メッセージをブロードキャストしてもよい。勿論、別の実施形態としては、端末は、符号化−復号化方式を指定しなくてもよい。この場合、ルータは、スマート機器に受信されるような任意の１つの非ＬＤＰＣ符号化−復号化方式を選択し、報知メッセージをブロードキャストしてもよい。
【００６４】
本実施例で提供される上述した方法によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに、該ルータと協議して該ＬＤＰＣ符号化−復号化方式を非ＬＤＰＣ符号化−復号化方式に切り替えると共に、該非ＬＤＰＣ符号化−復号化方式で該ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でも、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００６５】
図４は、例示的な別の実施例に係る、アクセスを制御する方法を示すフローチャートである。図４に示すように、該方法はルータに適用される方法であって、次のステップを含む。
【００６６】
ステップＳ４１では、端末により無線ＬＡＮへのアクセスを要求するとき、該端末と接続を構築する。
【００６７】
本実施例では、選択可能な態様として、該端末と接続を構築する処理は、
該端末と協議して該ＬＤＰＣ符号化−復号化方式を非ＬＤＰＣ符号化−復号化方式に切り替え、該非ＬＤＰＣ符号化−復号化方式で該端末と接続を構築するステップ、または、
該端末と協議して８０２．１１ｎプロトコールを８０２．１１ｂ／ｇプロトコールに切り替え、該８０２．１１ｂ／ｇプロトコールに基づく符号化−復号化方式で該端末と接続を構築するステップを含む。
【００６８】
ステップＳ４２では、該端末から送信される通知メッセージであって、非低密度パリティ検査符号（ＬＤＰＣ）符号化−復号化方式で該無線ＬＡＮの情報をブロードキャストさせるための通知メッセージを受信する。
【００６９】
ステップＳ４３では、スマート機器から該無線ＬＡＮにアクセスするための該無線ＬＡＮの情報を非ＬＤＰＣ符号化−復号化方式でブロードキャストする。
【００７０】
なお、ルータおよび端末がプロトコールを切り替えていない場合には、現有の８０２．１１ｎプロトコールに基づいて任意に選択された１つの非ＬＤＰＣ符号化−復号化方式で、報知メッセージをブロードキャストしてもよい。ルータおよび端末がプロトコールを８０２．１１ｂ／ｇプロトコールに切り替えた場合には、該８０２．１１ｂ／ｇプロトコールに基づいて任意に選択された１つの符号化−復号化方式で、報知メッセージをブロードキャストしてもよい。本実施例ではこれを具体的に限定しない。
【００７１】
本実施例では、選択可能な態様として、非ＬＤＰＣ符号化−復号化方式で該無線ＬＡＮの情報をブロードキャストする処理は、
非ＬＤＰＣ符号化−復号化方式である指定の符号化−復号化方式が該通知メッセージに含まれている場合には、該指定の符号化−復号化方式で該無線ＬＡＮの情報をブロードキャストするステップ、または、
指定の符号化−復号化方式が該通知メッセージに含まれていない場合には、任意に選択された１つの非ＬＤＰＣ符号化−復号化方式で該無線ＬＡＮの情報をブロードキャストするステップを含む。
【００７２】
ステップＳ４４では、該スマート機器から送信された、該無線ＬＡＮの情報を含んだアクセス要求を受信する。
【００７３】
ステップＳ４５では、該アクセス要求に基づき、該スマート機器と接続を構築する。
【００７４】
本実施例で提供される上記方法によれば、端末により無線ＬＡＮへのアクセスを要求するとき、該端末と接続を構築すると共に、該端末から送信される通知メッセージであって、非低密度パリティ検査符号（ＬＤＰＣ）符号化−復号化方式で該無線ＬＡＮの情報をブロードキャストさせるための通知メッセージを受信し、非ＬＤＰＣ符号化−復号化方式で該無線ＬＡＮの情報をブロードキャストし、該スマート機器から送信された、該無線ＬＡＮの情報を含んだアクセス要求を受信し、該アクセス要求に基づいて該スマート機器と接続を構築する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００７５】
図５は、例示的な別の実施例に係る、アクセスを制御する方法を示すフローチャートである。図５に示すように、該方法は、端末およびルータに適用される方法であって、次のステップを含む。
【００７６】
ステップＳ５１では、端末により無線ＬＡＮへのアクセスを要求するとき、端末は、自機とルータとの間でＬＤＰＣ符号化−復号化方式を用いて通信するか否かを検出する。
【００７７】
ステップＳ５２では、端末は、自機と該ルータとの間でＬＤＰＣ符号化−復号化方式を用いて通信することを確定できたときに、該ルータと接続を構築する。
【００７８】
本実施例では、選択可能な態様として、該ルータと接続を構築する処理は、
該ルータと協議して該ＬＤＰＣ符号化−復号化方式を非ＬＤＰＣ符号化−復号化方式に切り替え、該非ＬＤＰＣ符号化−復号化方式で該ルータと接続を構築するステップ、または、
該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築するステップを含む。
ス  
【００７９】
テップＳ５３では、端末は、非ＬＤＰＣ符号化−復号化方式で該無線ＬＡＮの情報をブロードキャストさせるように、該ルータに通知する。
【００８０】
本実施例では、選択可能な態様として、ステップＳ５３は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように該ルータに通知するステップを、含んでもよい。
【００８１】
ステップＳ５４では、ルータは、該端末から送信される通知メッセージであって、非ＬＤＰＣ符号化−復号化方式で該無線ＬＡＮの情報をブロードキャストさせるための通知メッセージを受信する。
【００８２】
ステップＳ５５では、ルータは、非ＬＤＰＣ符号化−復号化方式で該無線ＬＡＮの情報をブロードキャストする。
【００８３】
本実施例では、選択可能な態様として、ステップＳ５５は、
非ＬＤＰＣ符号化−復号化方式である指定の符号化−復号化方式が該通知メッセージに含まれている場合には、ルータが該指定の符号化−復号化方式で該無線ＬＡＮの情報をブロードキャストするステップ、または、
指定の符号化−復号化方式が該通知メッセージに含まれていない場合には、ルータが任意の１つの非ＬＤＰＣ符号化−復号化方式を選択し、該無線ＬＡＮの情報をブロードキャストするステップを含んでもよい。
【００８４】
ステップＳ５６では、ルータは、該スマート機器から送信された、該無線ＬＡＮの情報を含んだアクセス要求を受信する。
【００８５】
ステップＳ５７では、ルータは、該アクセス要求に基づいて該スマート機器と接続を構築する。
【００８６】
図６を参照する。図６は端末のインターフェース表示を示す模式図である。ここで、ユーザはアクセスしたい無線ＬＡＮを１つ選択し、その下方の枠内に該無線ＬＡＮの暗証番号を入力した後に、「次へ」ボタンをクリックすることをトリガーとして、該無線ＬＡＮへのアクセスを要求することができる。ルータは、これに応じた通知を受信し、スマート機器も該無線ＬＡＮにアクセスできるように、非ＬＤＰＣ符号化−復号化方式で報知メッセージをブロードキャストする。
【００８７】
本実施例で提供される上記方法によれば、端末は、無線ＬＡＮへのアクセスを要求するとき、自機とルータとの間でＬＤＰＣ符号化−復号化方式を用いて通信するか否かを検出し、ＬＤＰＣ符号化−復号化方式を用いて通信する場合には前記ルータと接続を構築すると共に、非ＬＤＰＣ符号化−復号化方式で前記無線ＬＡＮの情報をブロードキャストさせるように前記ルータに通知し、ルータは、通知を受信すると、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００８８】
図７は、例示的な別の実施例に係る、アクセスを制御する装置を示すブロック図である。図７を参照すると、該装置は検出モジュール１２１、接続モジュール１２２および通知モジュール１２３を含む。
【００８９】
検出モジュール１２１は、無線ＬＡＮへのアクセスを要求するとき、自機とルータとの間で低密度パリティ検査符号（ＬＤＰＣ）符号化−復号化方式を用いて通信するか否かを検出するように構成されている。
【００９０】
接続モジュール１２２は、該装置と該ルータとの間でＬＤＰＣ符号化−復号化方式を用いて通信することを確定できたときに、該ルータと接続を構築するように構成されている。
【００９１】
通知モジュール１２３は、スマート機器から該ルータを介して該無線ＬＡＮにアクセスするように構成された該無線ＬＡＮの情報を非ＬＤＰＣ符号化−復号化方式でブロードキャストさせるように、該ルータに通知するように構成されている。
【００９２】
図８を参照すると、選択可能な態様として、接続モジュール１２２は、
該装置と該ルータとの間でＬＤＰＣ符号化−復号化方式を用いて通信することを確定できたときに、該ルータと協議して該ＬＤＰＣ符号化−復号化方式を非ＬＤＰＣ符号化−復号化方式に切り替え、該非ＬＤＰＣ符号化−復号化方式で該ルータと接続を構築する、ように構成された第一接続サブモジュール１２２ａを含む。
【００９３】
あるいは、接続モジュール１２２は、
該装置と該ルータとの間でＬＤＰＣ符号化−復号化方式を用いて通信することを確定できたときに、該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築する、ように構成された第二接続サブモジュール１２２ｂを含む。
【００９４】
図９を参照すると、選択可能な態様として、通知モジュール１２３は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように該ルータに通知する、ように構成された通知サブモジュール１２３ａを含む。
【００９５】
なお、上述した実施例における装置の各モジュールの具体的な動作形態については、対応の方法の実施例において既に詳細に説明されたため、ここでそれらの詳細を省略する。
【００９６】
本実施例で提供される上記装置によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築すると共に、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００９７】
図１０は、例示的な別の実施例に係る、アクセスを制御する装置を示すブロック図である。図１０を参照すると、該装置は接続モジュール２２１、受信モジュール２２２およびブロードキャストモジュール２２３を含む。
【００９８】
接続モジュール２２１は、端末により無線ＬＡＮへのアクセスを要求するとき、該端末と接続を構築するように構成されている。
【００９９】
受信モジュール２２２は、該端末から送信される通知メッセージであって、非低密度パリティ検査符号（ＬＤＰＣ）符号化−復号化方式で該無線ＬＡＮの情報をブロードキャストさせるための通知メッセージを受信するように構成されている。
【０１００】
ブロードキャストモジュール２２３は、スマート機器から該無線ＬＡＮにアクセスするように構成された該無線ＬＡＮの情報を、非ＬＤＰＣ符号化−復号化方式でブロードキャストするように構成されている。
【０１０１】
本実施例では、選択可能な態様として、受信モジュール２２２は、さらに、
該スマート機器から送信された、該無線ＬＡＮの情報を含んだアクセス要求を受信するように構成されている。
【０１０２】
接続モジュール２２１は、さらに、該アクセス要求に基づいて該スマート機器と接続を構築するように構成されている。
【０１０３】
図１１を参照すると、選択可能な態様として、ブロードキャストモジュール２２３は、
非ＬＤＰＣ符号化−復号化方式である指定の符号化−復号化方式が該通知メッセージに含まれている場合には、該指定の符号化−復号化方式で該無線ＬＡＮの情報をブロードキャストする、ように構成された第一ブロードキャストサブモジュール２２３ａ、または、
指定の符号化−復号化方式が該通知メッセージに含まれていない場合には、選択された任意の１つの非ＬＤＰＣ符号化−復号化方式で該無線ＬＡＮの情報をブロードキャストする、ように構成された第二ブロードキャストサブモジュール２２３ｂを含む。
【０１０４】
図１２を参照すると、選択可能な態様として、接続モジュール２２１は、
端末により無線ＬＡＮへのアクセスを要求するとき、該端末と協議して該ＬＤＰＣ符号化−復号化方式を非ＬＤＰＣ符号化−復号化方式に切り替え、該非ＬＤＰＣ符号化−復号化方式で該端末と接続を構築する、ように構成された第一接続サブモジュール２２１ａを含む。
【０１０５】
図１３を参照すると、選択可能な態様として、接続モジュール２２１は、
端末により無線ＬＡＮへのアクセスを要求するとき、該端末と協議して８０２．１１ｎプロトコールを８０２．１１ｂ／ｇプロトコールに切り替え、該８０２．１１ｂ／ｇプロトコールに基づく符号化−復号化方式で該端末と接続を構築する、ように構成された第二接続サブモジュール２２１ｂを含む。
【０１０６】
なお、上述した実施例における装置の各モジュールの具体的な動作形態については、対応の方法の実施例において既に詳細に説明されたため、ここでそれらの詳細を省略する。
【０１０７】
本実施例で提供される上記装置によれば、端末により無線ＬＡＮへのアクセスを要求するとき、該端末と接続を構築すると共に、該端末から送信される通知メッセージであって、非低密度パリティ検査符号（ＬＤＰＣ）符号化−復号化方式で該無線ＬＡＮの情報をブロードキャストさせるための通知メッセージを受信し、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１０８】
図１４は、例示的な別の実施例に係る、アクセスを制御する装置を示すブロック図である。図１４を参照すると、該装置は、プロセッサ６０１、およびプロセッサが実行可能なコマンドを記憶するメモリ６０２を含む。
【０１０９】
該プロセッサ６０１は、
無線ＬＡＮへのアクセスを要求するとき、自機とルータとの間で低密度パリティ検査符号（ＬＤＰＣ）符号化−復号化方式を用いて通信するか否かを検出し、
自機と該ルータとの間でＬＤＰＣ符号化−復号化方式を用いて通信することを確定できたときに、該ルータと接続を構築し、
スマート機器から該ルータを介して該無線ＬＡＮにアクセスするための該無線ＬＡＮの情報を非ＬＤＰＣ符号化−復号化方式でブロードキャストさせるように該ルータに通知する、ように構成されている。
【０１１０】
図１５は、例示的な別の実施例に係る、アクセスを制御する装置８００を示すブロック図である。装置８００は、例えば携帯電話、コンピュータ、デジタルブロードキャスト端末、メッセージ送受信機器、ゲーム操作プラットフォーム、タブレット機器、医療機器、健康機器、ＰＤＡ（Ｐｅｒｓｏｎａｌ  Ｄｉｇｉｔａｌ  Ａｓｓｉｓｔａｎｔ）などである。
【０１１１】
図１５を参照すると、装置８００は、プロセッサアセンブリ８０２、メモリ８０４、電源アセンブリ８０６、マルチメディアアセンブリ８０８、オーディオアセンブリ８１０、入力／出力（Ｉ／Ｏ）インターフェース８１２、センサアセンブリ８１４、および通信アセンブリ８１６のうちの１つまたは複数を含んでもよい。
【０１１２】
プロセッサアセンブリ８０２は、通常では装置８００の全体的操作、例えば表示、電話呼出、データ通信、カメラ動作や記憶動作に関する動作を制御する。プロセッサアセンブリ８０２は、上述いずれかの実施例で提供される方法の全てまたは一部のステップを完成させるコマンドを実行する１つまたは複数のプロセッサ８２０を含んでもよい。また、プロセッサアセンブリ８０２は、プロセッサアセンブリ８０２と別のアセンブリとの間のインタラクションを処理するための１つまたは複数のモジュールを含んでもよい。例えば、プロセッサアセンブリ８０２は、マルチメディアアセンブリ８０８とプロセッサアセンブリ８０２との間のインタラクションを処理するためのマルチメディアモジュールを含んでもよい。
【０１１３】
メモリ８０４は、装置８００における動作をサポートする各種のデータを記憶するように構成されている。これらのデータは、例えば、装置８００において動作する何らかのアプリケーションまたは方法のコマンドや、連絡先データ、電話帳データ、メッセージ、画像、映像などを含む。メモリ８０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク若しくは光ディスクなど、いかなるタイプの揮発性若しくは非揮発性の記憶デバイス、またはこれらの組み合わせにより実現され得る。
【０１１４】
電源アセンブリ８０６は、装置８００の各アセンブリに電力を供給する。電源アセンブリ８０６は、電源管理システムと、１つまたは複数の電源と、装置８００のために電力を生成、管理及び分配を行う関連のアセンブリと、を含んでもよい。
【０１１５】
マルチメディアアセンブリ８０８は、装置８００とユーザとの間で出力インターフェースを提供するスクリーンを含む。一部の実施例において、スクリーンは、液晶モニター（ＬＣＤ）やタッチパネル（ＴＰ）を含んでもよい。スクリーンは、タッチパネルを含む場合、ユーザからの入力信号を受付けるタッチスクリーンとして実現されてもよい。タッチパネルは、タッチ、スライド、及びタッチパネル上のジェスチャを検出可能な１つまたは複数のタッチセンサを含む。前記タッチセンサは、タッチ或はスライド動作のエッジだけではなく、前記タッチ或はスライド動作に関する継続時間及び圧力も検出できる。一部の実施例において、マルチメディアアセンブリ８０８は、１つのフロントカメラ及び／又はリアーカメラを含む。装置８００が例えば撮影モード或は映像モード等の操作モードである場合には、フロントカメラ及び／又はリアーカメラは、外部からのマルチメディアデータを受信することができる。フロントカメラおよびリアーカメラのそれぞれは、１つの固定された光レンズ系、或は可変な焦点距離および光学ズーム機能を有するものであってもよい。
【０１１６】
オーディオアセンブリ８１０は、オーディオ信号を入力／出力するように構成されている。例えば、オーディオアセンブリ８１０は、装置８００が呼出モード、記録モード、及び音声認識モード等のような動作モードであるときに外部のオーディオ信号を受信するように構成されたマイク（ＭＩＣ）を含む。受信されたオーディオ信号は、さらにメモリ８０４に記憶されるか、通信アセンブリ８１６を介して送信されてもよい。一部の実施例において、オーディオアセンブリ８１０は、オーディオ信号を出力するためのスピーカーをさらに含む。
【０１１７】
Ｉ／Ｏインターフェース８１２は、プロセッサアセンブリ８０２と周辺インターフェースモジュールとの間のインターフェースを提供するものである。上記周辺インターフェースモジュールは、キーボード、クリックホイール、ボタン等であってもよい。これらのボタンは、ホームボタン、音量ボタン、起動ボタン、ロッキングボタンを含んでもよいが、これらに限定されない。
【０１１８】
センサアセンブリ８１４は、装置８００の各方面の状態評価に供するための１つまたは複数のセンサを含む。例えば、センサアセンブリ８１４は、装置８００のＯＮ／ＯＦＦ状態や、装置８００における例えばディスプレイやテンキーパッドのようなアセンブリの相対的位置を検出できる。また、センサアセンブリ８１４は、装置８００や装置８００におけるアセンブリの位置変化、ユーザと装置８００との接触の有無、装置８００の方位若しくは加速／減速、および装置８００の温度変化も検出できる。センサアセンブリ８１４は、いかなる物理的接触も無い場合に周辺物体の存在を検出するように構成された接近センサを含んでもよい。さらに、センサアセンブリ８１４は、画像生成アプリケーションに用いられるＣＭＯＳ又はＣＣＤ画像センサのような光センサを含んでもよい。一部の実施例において、該センサアセンブリ８１４は、さらに加速度センサ、ジャイロスコープセンサ、磁気センサ、圧力センサ、及び温度センサを含んでもよい。
【０１１９】
通信アセンブリ８１６は、装置８００と他の機器との間で有線又は無線方式の通信を提供するように構成される。装置８００は、例えばＷｉＦｉ、２Ｇ、３Ｇ或はそれらの組み合わせのような、通信規格に基づく無線ネットワークに接続されてもよい。例示的な一実施例において、通信アセンブリ８１６は、ブロードキャストチャネルを介して、外部のブロードキャスト管理システムからのブロードキャスト信号、又はブロードキャストに関する情報を受信する。また、例示的な一実施例において、前記通信アセンブリ８１６は、近距離通信を促進するための近距離無線通信（ＮＦＣ）モジュールをさらに含む。ＮＦＣモジュールは、例えばＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術や、他の技術に基づいて実現されてもよい。
【０１２０】
例示的な一実施例において、装置８００は、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子デバイスによって実現されるものであり、上記いずれかの実施例で提供される方法を実行する。
【０１２１】
また、例示的な一実施例において、コマンドを含んだ一時的でないコンピュータ読み取り可能な記憶媒体として、例えば、装置８００のプロセッサ８２０により実行されることで、上記いずれかの実施例で提供される方法を完成させるようなコマンドを含んだメモリ８０４をさらに提供する。前記一時的でないコンピュータ読み取り可能な記憶媒体は、例えば、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスクおよび光学データ記憶機器等である。
【０１２２】
一時的でないコンピュータ読み取り可能な記憶媒体に含まれたコマンドがモバイル端末のプロセッサにより実行されることで、該モバイル端末が上記いずれかの方法を実行することが可能となる。
【０１２３】
本実施例で提供される前記一時的でないコンピュータ読み取り可能な記憶媒体によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１２４】
図１６は、例示的な別の実施例に係る、アクセスを制御する装置を示すブロック図である。図１６を参照すると、該装置は、プロセッサ７０１、およびプロセッサが実行可能なコマンドを記憶するメモリ７０２を含む。
【０１２５】
該プロセッサ７０１は、
端末により無線ＬＡＮへのアクセスを要求するとき、該端末と接続を構築し、
該端末から送信される通知メッセージであって、非低密度パリティ検査符号（ＬＤＰＣ）符号化−復号化方式で該無線ＬＡＮの情報をブロードキャストさせるための通知メッセージを受信し、
スマート機器から該無線ＬＡＮにアクセスするための該無線ＬＡＮの情報を非ＬＤＰＣ符号化−復号化方式でブロードキャストする、ように構成されている。
【０１２６】
図１７は、例示的な別の実施例に係る、アクセスを制御する装置１９００を示すブロック図である。装置１９００は、例えばサーバーとして提供されてもよい。図１７を参照すると、装置１９００は処理アセンブリ１９２２を含み、処理アセンブリ１９２２は、１つまたは複数のプロセッサと、処理アセンブリ１９２２が実行可能な例えばアプリケーションのようなコマンドを記憶するためのメモリ１９３２に代表されるメモリリソースと、を含む。メモリ１０３２に記憶されているアプリケーションは、１セットのコマンドごとのモジュールを１つまたは１つ以上含んでもよい。また、処理アセンブリ１９２２は、上記いずれかの実施例で提供される方法を実行するためのコマンドを実行するように構成されている。
【０１２７】
装置１９００は、装置１９００の電源管理を実行するように構成された電源アセンブリ１９２６と、装置１９００をネットワークに接続させるように構成された有線または無線のネットワークインターフェース１９５０と、入力／出力（Ｉ／Ｏ）インターフェース１９５８とを含んでもよい。また、装置１９００は、メモリ１９３２に記憶されているオペレーションシステム、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭまたは類似のシステムに基づいて動作してもよい。
【０１２８】
本実施例で提供される上記装置によれば、端末により無線ＬＡＮへのアクセスを要求するとき、該端末と接続を構築し、該端末から送信される通知メッセージであって、非低密度パリティ検査符号（ＬＤＰＣ）符号化−復号化方式で該無線ＬＡＮの情報をブロードキャストさせるための通知メッセージを受信し、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１２９】
なお、当業者は、本明細書に開示された発明内容を参照し実施することにより、本発明の他の実施形態を容易に見出せる。本願は、本発明のいかなる変形、用途、又は適用可能な変化を包含することが意図されている。当該いかなる変形、用途、又は適用可能な変化は、本発明の一般的原理に従うものであり、且つ本明細書に開示されていない本技術分野における公知常識や慣用の技術的手段を含む。明細書及び実施例は、あくまでも例示的なものであると理解されるべきである。本発明の真正の保護範囲および精神は、特許請求の範囲により特定される。
【０１３０】
また、本発明は、上記の記載と共に図面に開示された構成に限定されるものではなく、本発明の範囲を逸脱しない限り、様々な改修又は変更が行えることが理解されるべきである。本発明の範囲は、特許請求の範囲のみにより規定される。
【図１】
2017520206.tif 000003
【図２】
2017520206.tif 000004
【図３】
2017520206.tif 000005
【図４】
2017520206.tif 000006
【図５】
2017520206.tif 000007
【図６】
2017520206.tif 000008
【図７】
2017520206.tif 000009
【図８】
2017520206.tif 000010
【図９】
2017520206.tif 000011
【図１０】
2017520206.tif 000012
【図１１】
2017520206.tif 000013
【図１２】
2017520206.tif 000014
【図１３】
2017520206.tif 000015
【図１４】
2017520206.tif 000016
【図１５】
2017520206.tif 000017
【図１６】
2017520206.tif 000018
【図１７】
2017520206.tif 000019
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
アクセスを制御する方法であって、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することを確定できたときに、前記ルータと接続を構築するステップと、
スマート機器から前記ルータを介して前記無線ＬＡＮにアクセスするための前記無線ＬＡＮの情報を非ＬＤＰＣ符号化−復号化方式でブロードキャストさせるように、前記ルータに通知するステップと、
を含むことを特徴とする方法。
【請求項２】
前記ルータと接続を構築するステップは、
前記ルータと協議し、前記ＬＤＰＣ符号化−復号化方式を非ＬＤＰＣ符号化−復号化方式に切り替えるステップと、
前記非ＬＤＰＣ符号化−復号化方式で前記ルータと接続を構築するステップと、を含むことを特徴とする請求項１に記載の方法。
【請求項３】
前記ルータと接続を構築するステップは、
前記ルータと協議し、８０２．１１ｎプロトコールを８０２．１１ｂ／ｇプロトコールに切り替えるステップと、
前記８０２．１１ｂ／ｇプロトコールに基づく符号化−復号化方式で前記ルータと接続を構築するステップと、を含むことを特徴とする請求項１に記載の方法。
【請求項４】
前記無線ＬＡＮの情報を非ＬＤＰＣ符号化−復号化方式でブロードキャストさせるように前記ルータに通知するステップは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知するステップを含むことを特徴とする請求項１に記載の方法。
【請求項５】
アクセスを制御する方法であって、
端末により無線ＬＡＮへのアクセスを要求するとき、前記端末と接続を構築するステップと、
前記端末から送信される通知メッセージであって、非低密度パリティ検査符号（ＬＤＰＣ）符号化−復号化方式で前記無線ＬＡＮの情報をブロードキャストさせるための通知メッセージを受信するステップと、
スマート機器から前記無線ＬＡＮにアクセスするための前記無線ＬＡＮの情報を非ＬＤＰＣ符号化−復号化方式でブロードキャストするステップと、
を含むことを特徴とする方法。
【請求項６】
前記スマート機器から送信された、前記無線ＬＡＮの情報を含んだアクセス要求を受信するステップと、
前記アクセス要求に基づき、前記スマート機器と接続を構築するステップと、
をさらに含むことを特徴とする請求項５に記載の方法。
【請求項７】
前記無線ＬＡＮの情報を非ＬＤＰＣ符号化−復号化方式でブロードキャストするステップは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストするステップ、または、
指定の符号化−復号化方式が前記通知メッセージに含まれていない場合には、任意に選択された１つの非ＬＤＰＣ符号化−復号化方式で前記無線ＬＡＮの情報をブロードキャストするステップを、
含むことを特徴とする請求項５に記載の方法。
【請求項８】
前記端末と接続を構築するステップは、
前記端末と協議し、前記ＬＤＰＣ符号化−復号化方式を非ＬＤＰＣ符号化−復号化方式に切り替えるステップと、
前記非ＬＤＰＣ符号化−復号化方式で前記端末と接続を構築するステップと、
を含むことを特徴とする請求項５に記載の方法。
【請求項９】
前記端末と接続を構築するステップは、
前記端末と協議し、８０２．１１ｎプロトコールを８０２．１１ｂ／ｇプロトコールに切り替えるステップと、
前記８０２．１１ｂ／ｇプロトコールに基づく符号化−復号化方式で前記端末と接続を構築するステップと、
を含むことを特徴とする請求項５に記載の方法。
【請求項１０】
アクセスを制御する装置であって、
無線ＬＡＮへのアクセスを要求するとき、自機とルータとの間で低密度パリティ検査符号（ＬＤＰＣ）符号化−復号化方式を用いて通信するか否かを検出する検出モジュールと、
前記装置と前記ルータとの間でＬＤＰＣ符号化−復号化方式を用いて通信することを確定できたときに、前記ルータと接続を構築する接続モジュールと、
スマート機器から前記ルータを介して前記無線ＬＡＮにアクセスするための前記無線ＬＡＮの情報を非ＬＤＰＣ符号化−復号化方式でブロードキャストさせるように前記ルータに通知する通知モジュールと、
を含むことを特徴とする装置。
【請求項１１】
前記接続モジュールは、
前記装置と前記ルータとの間でＬＤＰＣ符号化−復号化方式を用いて通信することを確定できたときに、前記ルータと協議して前記ＬＤＰＣ符号化−復号化方式を非ＬＤＰＣ符号化−復号化方式に切り替え、前記非ＬＤＰＣ符号化−復号化方式で前記ルータと接続を構築する第一接続サブモジュールを、
含むことを特徴とする請求項１０に記載の装置。
【請求項１２】
前記接続モジュールは、
前記装置と前記ルータとの間でＬＤＰＣ符号化−復号化方式を用いて通信することを確定できたときに、前記ルータと協議して８０２．１１ｎプロトコールを８０２．１１ｂ／ｇプロトコールに切り替え、前記８０２．１１ｂ／ｇプロトコールに基づく符号化−復号化方式で前記ルータと接続を構築する第二接続サブモジュールを、
含むことを特徴とする請求項１０に記載の装置。
【請求項１３】
前記通知モジュールは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知する通知サブモジュールを、
含むことを特徴とする請求項１０に記載の装置。
【請求項１４】
アクセスを制御する装置であって、
端末により無線ＬＡＮへのアクセスを要求するとき、前記端末と接続を構築する接続モジュールと、
前記端末から送信される通知メッセージであって、非低密度パリティ検査符号（ＬＤＰＣ）符号化−復号化方式で前記無線ＬＡＮの情報をブロードキャストさせるための通知メッセージを受信する受信モジュールと、
スマート機器から前記無線ＬＡＮにアクセスするための前記無線ＬＡＮの情報を非ＬＤＰＣ符号化−復号化方式でブロードキャストするブロードキャストモジュールと、
を含むことを特徴とする装置。
【請求項１５】
前記受信モジュールは、さらに、前記スマート機器から送信された、前記無線ＬＡＮの情報を含んだアクセス要求を受信し、
前記接続モジュールは、さらに、前記アクセス要求に基づいて前記スマート機器と接続を構築することを、特徴とする請求項１４に記載の装置。
【請求項１６】
前記ブロードキャストモジュールは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストする第一ブロードキャストサブモジュール、または、
指定の符号化−復号化方式が前記通知メッセージに含まれていない場合には、選択された任意の１つの非ＬＤＰＣ符号化−復号化方式で前記無線ＬＡＮの情報をブロードキャストする第二ブロードキャストサブモジュールを、
含むことを特徴とする請求項１４に記載の装置。
【請求項１７】
前記接続モジュールは、
端末により無線ＬＡＮへのアクセスを要求するとき、前記端末と協議して前記ＬＤＰＣ符号化−復号化方式を非ＬＤＰＣ符号化−復号化方式に切り替え、前記非ＬＤＰＣ符号化−復号化方式で前記端末と接続を構築する第一接続サブモジュールを、
含むことを特徴とする請求項１４に記載の装置。
【請求項１８】
前記接続モジュールは、
端末により無線ＬＡＮへのアクセスを要求するとき、前記端末と協議して８０２．１１ｎプロトコールを８０２．１１ｂ／ｇプロトコールに切り替え、前記８０２．１１ｂ／ｇプロトコールに基づく符号化−復号化方式で前記端末と接続を構築する第二接続サブモジュールを、
含むことを特徴とする請求項１４に記載の装置。
【請求項１９】
アクセスを制御する装置であって、
プロセッサと、プロセッサが実行可能なコマンドを記憶するメモリとを含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することを確定できたときに、前記ルータと接続を構築し、
スマート機器から前記ルータを介して前記無線ＬＡＮにアクセスするための前記無線ＬＡＮの情報を非ＬＤＰＣ符号化−復号化方式でブロードキャストさせるように前記ルータに通知する、ように構成されていることを特徴とする装置。
【請求項２０】
アクセスを制御する装置であって、
プロセッサと、プロセッサが実行可能なコマンドを記憶するメモリとを含み、
前記プロセッサは、
端末により無線ＬＡＮへのアクセスを要求するとき、前記端末と接続を構築し、
前記端末から送信される通知メッセージであって、非低密度パリティ検査符号（ＬＤＰＣ）符号化−復号化方式で前記無線ＬＡＮの情報をブロードキャストさせるための通知メッセージを受信し、
スマート機器から前記無線ＬＡＮにアクセスするための前記無線ＬＡＮの情報を非ＬＤＰＣ符号化−復号化方式でブロードキャストする、ように構成されていることを特徴とする装置。
【請求項２１】
プロセッサに実行されることにより、請求項１から請求項９のいずれかに記載の方法を実現することを特徴とするプログラム。
【請求項２２】
請求項２１に記載のプログラムが記録された記録媒体。 
【手続補正２】
【補正対象書類名】明細書
【補正対象項目名】全文
【補正方法】変更
【補正の内容】
【発明の詳細な説明】
【技術分野】
【０００１】
本願は、出願番号２０１５１０１８８５６２．８、出願日２０１５年４月２０日である中国特許出願に基づいて提出されるものであり、当該中国特許出願の優先権を主張する。ここで、当該中国特許出願の全ての内容は、参考として本願に組み込まれるものとする。
【０００２】
本発明は無線通信分野に関し、特にアクセスを制御する方法および装置、プログラム及び記録媒体に関する。
【背景技術】
【０００３】
低密度パリティ検査符号（Ｌｏｗ  Ｄｅｎｓｉｔｙ  Ｐａｒｉｔｙ  Ｃｈｅｃｋ  Ｃｏｄｅ；略称：ＬＤＰＣ）は、疎検査行列を有する線性セット符号として、シャノン（Ｓｈａｎｎｏｎ）限界に迫る優れた性能を備えるだけではなく、復号化の複雑さが低く、構成に柔軟性を有するため、近年のチャネル符号化の分野では盛んに研究されている。
【０００４】
ＬＤＰＣ符号化は、用いれば無線通信レートの高速化に有効であるため、選択してもよい符号化方式として８０２．１１ｎに導入されている。一部の高性能のルータおよびスマートフォンでは、このような符号化方式がサポートされている。ＬＤＰＣ符号化方式をサポートする携帯電話が、ＬＤＰＣ符号化をサポートするルータに接続する際は、両者が関連のプロセスにおいて協議し、ＬＤＰＣ符号化方式を用いて後に続くデータ通信を行うことで、無線通信の効率が向上する。
【発明の概要】
【発明が解決しようとする課題】
【０００５】
上記に鑑み、本発明は、ＬＤＰＣ符号化機能を備えないスマート機器によるアクセスを実現可能な、アクセスを制御する方法および装置、プログラム及び記録媒体を提供する。
【課題を解決するための手段】
【０００６】
本発明の実施例の第一形態によれば、アクセスを制御する方法であって、
無線ＬＡＮへのアクセスを要求するとき、自機とルータとの間で低密度パリティ検査符号（ＬＤＰＣ）符号化−復号化方式を用いて通信するか否かを検出するステップと、
自機と前記ルータとの間でＬＤＰＣ符号化−復号化方式を用いて通信することを確定できたときに、前記ルータと接続を構築するステップと、
スマート機器から前記ルータを介して前記無線ＬＡＮにアクセスするための前記無線ＬＡＮの情報を非ＬＤＰＣ符号化−復号化方式でブロードキャストさせるように前記ルータに通知するステップと、を含む方法を提供する。
【０００７】
また、選択可能な態様として、前記ルータと接続を構築するステップは、
前記ルータと協議し、前記ＬＤＰＣ符号化−復号化方式を非ＬＤＰＣ符号化−復号化方式に切り替えるステップと、
前記非ＬＤＰＣ符号化−復号化方式で前記ルータと接続を構築するステップと、を含む。
【０００８】
また、選択可能な態様として、前記ルータと接続を構築するステップは、
前記ルータと協議し、８０２．１１ｎプロトコールを８０２．１１ｂ／ｇプロトコールに切り替えるステップと、
前記８０２．１１ｂ／ｇプロトコールに基づく符号化−復号化方式で前記ルータと接続を構築するステップと、を含む。
【０００９】
また、選択可能な態様として、前記無線ＬＡＮの情報を非ＬＤＰＣ符号化−復号化方式でブロードキャストさせるように前記ルータに通知するステップは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知するステップを含む。
【００１０】
本発明の実施例の第二形態によれば、アクセスを制御する方法であって、
端末により無線ＬＡＮへのアクセスを要求するとき、前記端末と接続を構築するステップと、
前記端末から送信される通知メッセージであって、非低密度パリティ検査符号（ＬＤＰＣ）符号化−復号化方式で前記無線ＬＡＮの情報をブロードキャストさせるための通知メッセージを受信するステップと、
スマート機器から前記無線ＬＡＮにアクセスするための前記無線ＬＡＮの情報を非ＬＤＰＣ符号化−復号化方式でブロードキャストするステップと、を含む方法を提供する。
【００１１】
また、選択可能な態様として、前記方法は、
前記スマート機器から送信された、前記無線ＬＡＮの情報を含んだアクセス要求を受信するステップと、
前記アクセス要求に基づき、前記スマート機器と接続を構築するステップと、をさらに含む。
【００１２】
また、選択可能な態様として、前記無線ＬＡＮの情報を非ＬＤＰＣ符号化−復号化方式でブロードキャストするステップは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストするステップ、または、
指定の符号化−復号化方式が前記通知メッセージに含まれていない場合には、任意に選択された１つの非ＬＤＰＣ符号化−復号化方式で前記無線ＬＡＮの情報をブロードキャストするステップを含む。
【００１３】
また、選択可能な態様として、前記端末と接続を構築するステップは、
前記端末と協議し、前記ＬＤＰＣ符号化−復号化方式を非ＬＤＰＣ符号化−復号化方式に切り替えるステップと、
前記非ＬＤＰＣ符号化−復号化方式で前記端末と接続を構築するステップと、を含む。
【００１４】
また、選択可能な態様として、前記端末と接続を構築するステップは、
前記端末と協議し、８０２．１１ｎプロトコールを８０２．１１ｂ／ｇプロトコールに切り替えるステップと、
前記８０２．１１ｂ／ｇプロトコールに基づく符号化−復号化方式で前記端末と接続を構築するステップと、を含む。
【００１５】
本発明の実施例の第三形態によれば、アクセスを制御する装置であって、
無線ＬＡＮへのアクセスを要求するとき、自機とルータとの間で低密度パリティ検査符号（ＬＤＰＣ）符号化−復号化方式を用いて通信するか否かを検出する検出モジュールと、
前記装置と前記ルータとの間でＬＤＰＣ符号化−復号化方式を用いて通信することを確定できたときに、前記ルータと接続を構築する接続モジュールと、
スマート機器から前記ルータを介して前記無線ＬＡＮにアクセスするための前記無線ＬＡＮの情報を非ＬＤＰＣ符号化−復号化方式でブロードキャストさせるように前記ルータに通知する通知モジュールと、を含む装置を提供する。
【００１６】
また、選択可能な態様として、前記接続モジュールは、
前記装置と前記ルータとの間でＬＤＰＣ符号化−復号化方式を用いて通信することを確定できたときに、前記ルータと協議して前記ＬＤＰＣ符号化−復号化方式を非ＬＤＰＣ符号化−復号化方式に切り替え、前記非ＬＤＰＣ符号化−復号化方式で前記ルータと接続を構築する第一接続サブモジュールを、含む。
【００１７】
また、選択可能な態様として、前記接続モジュールは、
前記装置と前記ルータとの間でＬＤＰＣ符号化−復号化方式を用いて通信することを確定できたときに、前記ルータと協議して８０２．１１ｎプロトコールを８０２．１１ｂ／ｇプロトコールに切り替え、前記８０２．１１ｂ／ｇプロトコールに基づく符号化−復号化方式で前記ルータと接続を構築する第二接続サブモジュールを、含む。
【００１８】
また、選択可能な態様として、前記通知モジュールは、
非ＬＤＰＣ符号化−復号化方式である指定の符号化−復号化方式を含んだ通知メッセージを前記ルータに送信し、前記指定の符号化−復号化方式で前記無線ＬＡＮの情報をブロードキャストさせるように前記ルータに通知する通知サブモジュールを、含む。
【００１９】
本発明の実施例の第四形態によれば、アクセスを制御する装置であって、
端末により無線ＬＡＮへのアクセスを要求するとき、前記端末と接続を構築する接続モジュールと、
前記端末から送信される通知メッセージであって、非低密度パリティ検査符号（ＬＤＰＣ）符号化−復号化方式で前記無線ＬＡＮの情報をブロードキャストさせるための通知メッセージを受信する受信モジュールと、
スマート機器から前記無線ＬＡＮにアクセスするための前記無線ＬＡＮの情報を非ＬＤＰＣ符号化−復号化方式でブロードキャストするブロードキャストモジュールと、を含む装置を提供する。
【００２０】
また、選択可能な態様として、前記受信モジュールは、さらに、前記スマート機器から送信された、前記無線ＬＡＮの情報を含んだアクセス要求を受信し、
前記接続モジュールは、さらに、前記アクセス要求に基づいて前記スマート機器と接続を構築する。
【００２１】
また、選択可能な態様として、前記ブロードキャストモジュールは、
非ＬＤＰＣ符号化−復号化方式である指定の符号化−復号化方式が前記通知メッセージに含まれている場合には、前記指定の符号化−復号化方式で前記無線ＬＡＮの情報をブロードキャストする第一ブロードキャストサブモジュール、または、
指定の符号化−復号化方式が前記通知メッセージに含まれていない場合には、選択された任意の１つの非ＬＤＰＣ符号化−復号化方式で前記無線ＬＡＮの情報をブロードキャストする第二ブロードキャストサブモジュールを、含む。
【００２２】
また、選択可能な態様として、前記接続モジュールは、
端末により無線ＬＡＮへのアクセスを要求するとき、前記端末と協議して前記ＬＤＰＣ符号化−復号化方式を非ＬＤＰＣ符号化−復号化方式に切り替え、前記非ＬＤＰＣ符号化−復号化方式で前記端末と接続を構築する第一接続サブモジュールを、含む。
【００２３】
また、選択可能な態様として、前記接続モジュールは、
端末により無線ＬＡＮへのアクセスを要求するとき、前記端末と協議して８０２．１１ｎプロトコールを８０２．１１ｂ／ｇプロトコールに切り替え、前記８０２．１１ｂ／ｇプロトコールに基づく符号化−復号化方式で前記端末と接続を構築する第二接続サブモジュールを、含む。
【００２４】
本発明の実施例の第五形態によれば、アクセスを制御する装置であって、
プロセッサと、プロセッサが実行可能なコマンドを記憶するメモリとを含み、
前記プロセッサは、
無線ＬＡＮへのアクセスを要求するとき、自機とルータとの間で低密度パリティ検査符号（ＬＤＰＣ）符号化−復号化方式を用いて通信するか否かを検出し、
自機と前記ルータとの間でＬＤＰＣ符号化−復号化方式を用いて通信することを確定できたときに、前記ルータと接続を構築し、
スマート機器から前記ルータを介して前記無線ＬＡＮにアクセスするための前記無線ＬＡＮの情報を非ＬＤＰＣ符号化−復号化方式でブロードキャストさせるように前記ルータに通知するように構成されている、装置を提供する。
【００２５】
本発明の実施例の第六形態によれば、アクセスを制御する装置であって、
プロセッサと、プロセッサが実行可能なコマンドを記憶するメモリとを含み、
前記プロセッサは、
端末により無線ＬＡＮへのアクセスを要求するとき、前記端末と接続を構築し、
前記端末から送信される通知メッセージであって、非低密度パリティ検査符号（ＬＤＰＣ）符号化−復号化方式で前記無線ＬＡＮの情報をブロードキャストさせるための通知メッセージを受信し、
スマート機器から前記無線ＬＡＮにアクセスするための前記無線ＬＡＮの情報を非ＬＤＰＣ符号化−復号化方式でブロードキャストするように構成されている、装置を提供する。
【００２６】
本発明のその他の態様は、
プロセッサに実行されることにより、前記方法を実現することを特徴とするプログラムを提供する。
【００２７】
本発明のその他の態様は、
前記プログラムが記録された記録媒体を提供する。
【発明の効果】
【００２８】
本発明の実施例で提供された技術的構成は次の有益な効果を奏する。すなわち、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように、前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００２９】
なお、以上の基本の説明および後述の詳細な記載は、単に例示的および説明的なものであり、本発明を限定するものではないと理解されるべきである。
【図面の簡単な説明】
【００３０】
ここでの図面は、明細書に組み込まれて明細書の一部を構成し、本発明に合致する実施例を示すと共に、明細書と併せて本発明の原理の解釈に用いられるものである。
【００３１】
【図１】例示的な一実施例に係る、アクセスを制御する方法を示すフローチャートである。
【図２】例示的な別の実施例に係る、アクセスを制御する方法を示すフローチャートである。
【図３】例示的な別の実施例に係る、アクセスを制御する方法を示すフローチャートである。
【図４】例示的な別の実施例に係る、アクセスを制御する方法を示すフローチャートである。
【図５】例示的な別の実施例に係る、アクセスを制御する方法を示すフローチャートである。
【図６】例示的な別の実施例に係る端末のインターフェース表示を示す模式図である。
【図７】例示的な別の実施例に係る、アクセスを制御する装置を示すブロック図である。
【図８】例示的な別の実施例に係る、アクセスを制御する装置を示すブロック図である。
【図９】例示的な別の実施例に係る、アクセスを制御する装置を示すブロック図である。
【図１０】例示的な別の実施例に係る、アクセスを制御する装置を示すブロック図である。
【図１１】例示的な別の実施例に係る、アクセスを制御する装置を示すブロック図である。
【図１２】例示的な別の実施例に係る、アクセスを制御する装置を示すブロック図である。
【図１３】例示的な別の実施例に係る、アクセスを制御する装置を示すブロック図である。
【図１４】例示的な別の実施例に係る、アクセスを制御する装置を示すブロック図である。
【図１５】例示的な別の実施例に係る、アクセスを制御する装置を示すブロック図である。
【図１６】例示的な別の実施例に係る、アクセスを制御する装置を示すブロック図である。
【図１７】例示的な別の実施例に係る、アクセスを制御する装置を示すブロック図である。
【発明を実施するための形態】
【００３２】
続いて、図面に示された例示的な実施例を詳細に説明する。なお、以下の記載において図面を言及する場合、特に説明しない限り、異なる図面における同一番号は、同一または類似の要素を示す。また、以下の例示的な実施例に記載される実施形態は、本発明に一致する全ての実施形態を代表するものではない。逆に、これら例示的な実施例は、添付された特許請求の範囲に詳細に記載される、本発明の一部の局面に一致する装置及び方法の例にすぎない。
【００３３】
図１は、例示的な一実施例に係る、アクセスを制御する方法を示すフローチャートである。図１に示すように、該方法は端末に適用される方法であって、次のステップを含む。
【００３４】
ステップＳ１１では、無線ＬＡＮ（ローカル・エリア・ネットワーク）へのアクセスを要求するとき、自機とルータとの間で低密度パリティ検査符号（ＬＤＰＣ）符号化−復号化方式を用いて通信するか否かを検出する。
【００３５】
ステップＳ１２では、自機と該ルータとの間でＬＤＰＣ符号化−復号化方式を用いて通信することを確定できたときに、該ルータと接続を構築する。
【００３６】
ステップＳ１３では、スマート機器から該ルータを介して該無線ＬＡＮにアクセスするための該無線ＬＡＮの情報を非ＬＤＰＣ符号化−復号化方式でブロードキャストさせるように該ルータに通知する。
【００３７】
本実施例における前記端末は、携帯電話、ノート型コンピュータ、タブレットコンピュータなどを含むが、これらに限定されない。前記端末、ルータおよびスマート機器は、共に同一の無線ＬＡＮ内に含まれる。ルータはアクセスされる機器である。端末およびスマート機器は、該ルータを介して該無線ＬＡＮにアクセスし、さらにインターネットにアクセスすることができる。前記スマート機器は、テレビ、冷蔵庫、電子レンジ、カメラなどを含むが、これらに限定されない。
【００３８】
なお、無線ＬＡＮの情報には、無線ＬＡＮの識別子および暗証番号が含まれるが、これらに限定されない。また、該識別子は、サービスセットＩＤ（Ｓｅｒｖｉｃｅ  Ｓｅｔ  Ｉｄｅｎｔｉｆｉｅｒ；略称：ＳＳＩＤ）であってもよく、例えばＬＡＮの名称  として「ＤＬＩＮＫ１」などである。
【００３９】
本実施例では、選択可能な態様として、該ルータと接続を構築する処理は、
該ルータと協議し、該ＬＤＰＣ符号化−復号化方式を非ＬＤＰＣ符号化−復号化方式に切り替えるステップと、
該非ＬＤＰＣ符号化−復号化方式で該ルータと接続を構築するステップと、を含む。
【００４０】
また、本実施例では、選択可能な態様として、該ルータと接続を構築する処理は、
該ルータと協議し、８０２．１１ｎプロトコールを８０２．１１ｂ／ｇプロトコールに切り替えるステップと、
該８０２．１１ｂ／ｇプロトコールに基づく符号化−復号化方式で、該ルータと接続を構築するステップと、を含む。
【００４１】
また、本実施例では、選択可能な態様として、該無線ＬＡＮの情報を非ＬＤＰＣ符号化−復号化方式でブロードキャストさせるように該ルータに通知する処理は、指定の符号化−復号化方式を含んだ通知メッセージを該ルータに送信し、該指定の符号化−復号化方式で該無線ＬＡＮの情報をブロードキャストさせるように該ルータに通知するステップを含む。前記指定とは、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときには前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知することをいう。これにより、ＬＤＰＣ符号化機能を備えないスマート機器であっても、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００４２】
図２は、例示的な別の実施例に係る、アクセスを制御する方法を示すフローチャートである。図２に示すように、該方法はルータに適用される方法であって、次のステップを含む。
【００４３】
ステップＳ２１では、端末により無線ＬＡＮへのアクセスを要求するとき、該端末と接続を構築する。
【００４４】
なお、ルータと端末との接続を構築した後に、端末は該ルータを介してインターネットにアクセスしてもよい。
【００４５】
ステップＳ２２では、該端末から送信される、非低密度パリティ検査符号（ＬＤＰＣ）符号化−復号化方式で該無線ＬＡＮの情報をブロードキャストさせるための通知メッセージを受信する。
【００４６】
選択可能な態様として、該通知メッセージは、単独の通知メッセージであってもよく、接続構築メッセージを通知メッセージとしてもよい。例えば、接続構築メッセージに識別子を埋め込んでルータに通知する。この場合、端末からの接続構築メッセージを受信した時は、通知メッセージを受信したことを意味する。
【００４７】
ステップＳ２３では、スマート機器から該無線ＬＡＮにアクセスするための該無線ＬＡＮの情報を非ＬＤＰＣ符号化−復号化方式でブロードキャストする。
【００４８】
なお、ルータがブロードキャストする報知メッセージは、該無線ＬＡＮ内に含まれる何れか１つのスマート機器に受信される。通常では、ＬＤＰＣ符号化−復号化の機能を有するスマート機器もあれば、ＬＤＰＣ符号化−復号化の機能を有さないスマート機器もあるが、本実施例におけるスマート機器とは、ＬＤＰＣ符号化−復号化機能を有さないスマート機器を指す。ルータが非ＬＤＰＣ符号化方式で無線ＬＡＮの情報をブロードキャストする場合において、スマート機器は無線ＬＡＮの情報を受信、解析し、さらにルータと接続を構築することができる。そうでなければ、スマート機器はルータにアクセスできず、接続の失敗となる。
【００４９】
本実施例では、選択可能な態様として、該方法は、
該スマート機器から送信された、該無線ＬＡＮの情報を含んだアクセス要求を受信するステップと、
該アクセス要求に基づき、該スマート機器と接続を構築するステップと、をさらに含む。
【００５０】
また、本実施例では、選択可能な態様として、該無線ＬＡＮの情報を非ＬＤＰＣ符号化−復号化方式でブロードキャストする処理は、
非ＬＤＰＣ符号化−復号化方式である指定の符号化−復号化方式が該通知メッセージに含まれている場合には、該指定の符号化−復号化方式で該無線ＬＡＮの情報をブロードキャストするステップ、または、
指定の符号化−復号化方式が該通知メッセージに含まれていない場合には、任意に選択された１つの非ＬＤＰＣ符号化−復号化方式で該無線ＬＡＮの情報をブロードキャストするステップを含む。
【００５１】
また、本実施例では、選択可能な態様として、該端末と接続を構築する処理は、
該端末と協議し、該ＬＤＰＣ符号化−復号化方式を非ＬＤＰＣ符号化−復号化方式に切り替えるステップと、
該非ＬＤＰＣ符号化−復号化方式で該端末と接続を構築するステップと、を含む。
【００５２】
また、本実施例では、選択可能な態様として、該端末と接続を構築する処理は、
該端末と協議し、８０２．１１ｎプロトコールを８０２．１１ｂ／ｇプロトコールに切り替えるステップと、
該８０２．１１ｂ／ｇプロトコールに基づく符号化−復号化方式で、該端末と接続を構築するステップと、を含む。
【００５３】
本実施例で提供される上述した方法によれば、端末により無線ＬＡＮへのアクセスを要求するとき、該端末と接続を構築し、該端末から送信される通知メッセージであって、スマート機器から該無線ＬＡＮにアクセスするための該無線ＬＡＮの情報を非低密度パリティ検査符号（ＬＤＰＣ）符号化−復号化方式でブロードキャストさせるための通知メッセージを受信し、非ＬＤＰＣ符号化−復号化方式で該無線ＬＡＮの情報をブロードキャストする。これにより、ＬＤＰＣ符号化機能を備えないスマート機器でも、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００５４】
図３は、例示的な別の実施例に係る、アクセスを制御する方法を示すフローチャートである。図３に示すように、該方法は端末に適用される方法であって、次のステップを含む。
【００５５】
ステップＳ３１では、無線ＬＡＮへのアクセスを要求するとき、自機とルータとの間で低密度パリティ検査符号（ＬＤＰＣ）符号化−復号化方式を用いて通信するか否かを検出する。
【００５６】
なお、アクセスしたい無線ＬＡＮを端末のインターフェースから選択し、該無線ＬＡＮの暗証番号を入力することをトリガーとして、該無線ＬＡＮへのアクセスを要求してもよい。
【００５７】
ステップＳ３２では、自機と該ルータとの間でＬＤＰＣ符号化−復号化方式を用いて通信することを確定できたときに、該ルータと協議し、該ＬＤＰＣ符号化−復号化方式を非ＬＤＰＣ符号化−復号化方式に切り替える。
【００５８】
通常、端末およびルータの両方がＬＤＰＣ符号化−復号化方式をサポートしている場合には、效率向上のために、該ＬＤＰＣ符号化−復号化方式をデフォルトとして通信を行うことになる。本実施例では、端末がルータに対して協議を行うことにより、両方とも非ＬＤＰＣ符号化−復号化方式に切り替える。これにより、現在に非ＬＤＰＣ符号化−復号化方式でルータと通信することを確保する。
【００５９】
ステップＳ３３では、該非ＬＤＰＣ符号化−復号化方式で該ルータと接続を構築する。
【００６０】
ステップＳ３４では、スマート機器から該ルータを介して該無線ＬＡＮにアクセスするための該無線ＬＡＮの情報を非ＬＤＰＣ符号化−復号化方式でブロードキャストさせるように、該ルータに通知する。
【００６１】
なお、端末およびルータがプロトコールを切り替えずに８０２．１１ｎプロトコールのままで通信する場合には、該８０２．１１ｎプロトコールに基づく任意の１つの非ＬＤＰＣ符号化−復号化方式を選択して通信を行ってもよく、本実施例ではこれを具体的に限定しない。
【００６２】
本実施例では、選択可能な態様として、上記ステップＳ３２およびＳ３３は、下記のステップに置き換えてもよい。すなわち、
自機と該ルータとの間でＬＤＰＣ符号化−復号化方式を用いて通信することを確定できたときに、該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築する。
【００６３】
なお、８０２．１１ｂ／ｇプロトコールにはＬＤＰＣ符号化−復号化方式が含まれていないため、端末およびルータが８０２．１１ｂ／ｇプロトコールを用いる場合には、該８０２．１１ｂ／ｇプロトコールに基づく任意の１つの符号化−復号化方式、すなわち非ＬＤＰＣ符号化−復号化方式を用いればよい。
【００６４】
本実施例では、選択可能な態様として、非ＬＤＰＣ符号化−復号化方式で該無線ＬＡＮの情報をブロードキャストさせるように該ルータに通知する処理は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように、該ルータに通知するステップを含む。
【００６５】
なお、端末は、１つの非ＬＤＰＣ符号化−復号化方式を指定し、ルータに通知してもよい。ルータは、該通知を受信すると、端末が指定した非ＬＤＰＣ符号化−復号化方式に応じて報知メッセージをブロードキャストしてもよい。勿論、別の実施形態としては、端末は、符号化−復号化方式を指定しなくてもよい。この場合、ルータは、スマート機器に受信されるような任意の１つの非ＬＤＰＣ符号化−復号化方式を選択し、報知メッセージをブロードキャストしてもよい。
【００６６】
本実施例で提供される上述した方法によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに、該ルータと協議して該ＬＤＰＣ符号化−復号化方式を非ＬＤＰＣ符号化−復号化方式に切り替えると共に、該非ＬＤＰＣ符号化−復号化方式で該ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でも、ルータを介して無線ＬＡＮにアクセスすることが可能となり、スマート機器が受信したＬＤＰＣ符号化方式のブロードキャスト報知メッセージを識別できないためにアクセスが失敗することを回避できる。
【００６７】
図４は、例示的な別の実施例に係る、アクセスを制御する方法を示すフローチャートである。図４に示すように、該方法はルータに適用される方法であって、次のステップを含む。
【００６８】
ステップＳ４１では、端末により無線ＬＡＮへのアクセスを要求するとき、該端末と接続を構築する。
【００６９】
本実施例では、選択可能な態様として、該端末と接続を構築する処理は、
該端末と協議して該ＬＤＰＣ符号化−復号化方式を非ＬＤＰＣ符号化−復号化方式に切り替え、該非ＬＤＰＣ符号化−復号化方式で該端末と接続を構築するステップ、または、
該端末と協議して８０２．１１ｎプロトコールを８０２．１１ｂ／ｇプロトコールに切り替え、該８０２．１１ｂ／ｇプロトコールに基づく符号化−復号化方式で該端末と接続を構築するステップを含む。
【００７０】
ステップＳ４２では、該端末から送信される通知メッセージであって、非低密度パリティ検査符号（ＬＤＰＣ）符号化−復号化方式で該無線ＬＡＮの情報をブロードキャストさせるための通知メッセージを受信する。
【００７１】
ステップＳ４３では、スマート機器から該無線ＬＡＮにアクセスするための該無線ＬＡＮの情報を非ＬＤＰＣ符号化−復号化方式でブロードキャストする。
【００７２】
なお、ルータおよび端末がプロトコールを切り替えていない場合には、現有の８０２．１１ｎプロトコールに基づいて任意に選択された１つの非ＬＤＰＣ符号化−復号化方式で、報知メッセージをブロードキャストしてもよい。ルータおよび端末がプロトコールを８０２．１１ｂ／ｇプロトコールに切り替えた場合には、該８０２．１１ｂ／ｇプロトコールに基づいて任意に選択された１つの符号化−復号化方式で、報知メッセージをブロードキャストしてもよい。本実施例ではこれを具体的に限定しない。
【００７３】
本実施例では、選択可能な態様として、非ＬＤＰＣ符号化−復号化方式で該無線ＬＡＮの情報をブロードキャストする処理は、
非ＬＤＰＣ符号化−復号化方式である指定の符号化−復号化方式が該通知メッセージに含まれている場合には、該指定の符号化−復号化方式で該無線ＬＡＮの情報をブロードキャストするステップ、または、
指定の符号化−復号化方式が該通知メッセージに含まれていない場合には、任意に選択された１つの非ＬＤＰＣ符号化−復号化方式で該無線ＬＡＮの情報をブロードキャストするステップを含む。
【００７４】
ステップＳ４４では、該スマート機器から送信された、該無線ＬＡＮの情報を含んだアクセス要求を受信する。
【００７５】
ステップＳ４５では、該アクセス要求に基づき、該スマート機器と接続を構築する。
【００７６】
本実施例で提供される上記方法によれば、端末により無線ＬＡＮへのアクセスを要求するとき、該端末と接続を構築すると共に、該端末から送信される通知メッセージであって、非低密度パリティ検査符号（ＬＤＰＣ）符号化−復号化方式で該無線ＬＡＮの情報をブロードキャストさせるための通知メッセージを受信し、非ＬＤＰＣ符号化−復号化方式で該無線ＬＡＮの情報をブロードキャストし、該スマート機器から送信された、該無線ＬＡＮの情報を含んだアクセス要求を受信し、該アクセス要求に基づいて該スマート機器と接続を構築する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００７７】
図５は、例示的な別の実施例に係る、アクセスを制御する方法を示すフローチャートである。図５に示すように、該方法は、端末およびルータに適用される方法であって、次のステップを含む。
【００７８】
ステップＳ５１では、端末により無線ＬＡＮへのアクセスを要求するとき、端末は、自機とルータとの間でＬＤＰＣ符号化−復号化方式を用いて通信するか否かを検出する。
【００７９】
ステップＳ５２では、端末は、自機と該ルータとの間でＬＤＰＣ符号化−復号化方式を用いて通信することを確定できたときに、該ルータと接続を構築する。
【００８０】
本実施例では、選択可能な態様として、該ルータと接続を構築する処理は、
該ルータと協議して該ＬＤＰＣ符号化−復号化方式を非ＬＤＰＣ符号化−復号化方式に切り替え、該非ＬＤＰＣ符号化−復号化方式で該ルータと接続を構築するステップ、または、
該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築するステップを含む。
ス  
【００８１】
テップＳ５３では、端末は、非ＬＤＰＣ符号化−復号化方式で該無線ＬＡＮの情報をブロードキャストさせるように、該ルータに通知する。
【００８２】
本実施例では、選択可能な態様として、ステップＳ５３は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように該ルータに通知するステップを、含んでもよい。
【００８３】
ステップＳ５４では、ルータは、該端末から送信される通知メッセージであって、非ＬＤＰＣ符号化−復号化方式で該無線ＬＡＮの情報をブロードキャストさせるための通知メッセージを受信する。
【００８４】
ステップＳ５５では、ルータは、非ＬＤＰＣ符号化−復号化方式で該無線ＬＡＮの情報をブロードキャストする。
【００８５】
本実施例では、選択可能な態様として、ステップＳ５５は、
非ＬＤＰＣ符号化−復号化方式である指定の符号化−復号化方式が該通知メッセージに含まれている場合には、ルータが該指定の符号化−復号化方式で該無線ＬＡＮの情報をブロードキャストするステップ、または、
指定の符号化−復号化方式が該通知メッセージに含まれていない場合には、ルータが任意の１つの非ＬＤＰＣ符号化−復号化方式を選択し、該無線ＬＡＮの情報をブロードキャストするステップを含んでもよい。
【００８６】
ステップＳ５６では、ルータは、該スマート機器から送信された、該無線ＬＡＮの情報を含んだアクセス要求を受信する。
【００８７】
ステップＳ５７では、ルータは、該アクセス要求に基づいて該スマート機器と接続を構築する。
【００８８】
図６を参照する。図６は端末のインターフェース表示を示す模式図である。ここで、ユーザはアクセスしたい無線ＬＡＮを１つ選択し、その下方の枠内に該無線ＬＡＮの暗証番号を入力した後に、「次へ」ボタンをクリックすることをトリガーとして、該無線ＬＡＮへのアクセスを要求することができる。ルータは、これに応じた通知を受信し、スマート機器も該無線ＬＡＮにアクセスできるように、非ＬＤＰＣ符号化−復号化方式で報知メッセージをブロードキャストする。
【００８９】
本実施例で提供される上記方法によれば、端末は、無線ＬＡＮへのアクセスを要求するとき、自機とルータとの間でＬＤＰＣ符号化−復号化方式を用いて通信するか否かを検出し、ＬＤＰＣ符号化−復号化方式を用いて通信する場合には前記ルータと接続を構築すると共に、非ＬＤＰＣ符号化−復号化方式で前記無線ＬＡＮの情報をブロードキャストさせるように前記ルータに通知し、ルータは、通知を受信すると、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００９０】
図７は、例示的な別の実施例に係る、アクセスを制御する装置を示すブロック図である。図７を参照すると、該装置は検出モジュール１２１、接続モジュール１２２および通知モジュール１２３を含む。
【００９１】
検出モジュール１２１は、無線ＬＡＮへのアクセスを要求するとき、自機とルータとの間で低密度パリティ検査符号（ＬＤＰＣ）符号化−復号化方式を用いて通信するか否かを検出するように構成されている。
【００９２】
接続モジュール１２２は、該装置と該ルータとの間でＬＤＰＣ符号化−復号化方式を用いて通信することを確定できたときに、該ルータと接続を構築するように構成されている。
【００９３】
通知モジュール１２３は、スマート機器から該ルータを介して該無線ＬＡＮにアクセスするように構成された該無線ＬＡＮの情報を非ＬＤＰＣ符号化−復号化方式でブロードキャストさせるように、該ルータに通知するように構成されている。
【００９４】
図８を参照すると、選択可能な態様として、接続モジュール１２２は、
該装置と該ルータとの間でＬＤＰＣ符号化−復号化方式を用いて通信することを確定できたときに、該ルータと協議して該ＬＤＰＣ符号化−復号化方式を非ＬＤＰＣ符号化−復号化方式に切り替え、該非ＬＤＰＣ符号化−復号化方式で該ルータと接続を構築する、ように構成された第一接続サブモジュール１２２ａを含む。
【００９５】
あるいは、接続モジュール１２２は、
該装置と該ルータとの間でＬＤＰＣ符号化−復号化方式を用いて通信することを確定できたときに、該ルータと協議して８０２．１１ｎプロトコールを８０２．１１ｂ／ｇプロトコールに切り替え、該８０２．１１ｂ／ｇプロトコールに基づく符号化−復号化方式で該ルータと接続を構築する、ように構成された第二接続サブモジュール１２２ｂを含む。
【００９６】
図９を参照すると、選択可能な態様として、通知モジュール１２３は、
非ＬＤＰＣ符号化−復号化方式である指定の符号化−復号化方式を含んだ通知メッセージを該ルータに送信し、該指定の符号化−復号化方式で該無線ＬＡＮの情報をブロードキャストさせるように該ルータに通知する、ように構成された通知サブモジュール１２３ａを含む。
【００９７】
なお、上述した実施例における装置の各モジュールの具体的な動作形態については、対応の方法の実施例において既に詳細に説明されたため、ここでそれらの詳細を省略する。
【００９８】
本実施例で提供される上記装置によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築すると共に、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【００９９】
図１０は、例示的な別の実施例に係る、アクセスを制御する装置を示すブロック図である。図１０を参照すると、該装置は接続モジュール２２１、受信モジュール２２２およびブロードキャストモジュール２２３を含む。
【０１００】
接続モジュール２２１は、端末により無線ＬＡＮへのアクセスを要求するとき、該端末と接続を構築するように構成されている。
【０１０１】
受信モジュール２２２は、該端末から送信される通知メッセージであって、非低密度パリティ検査符号（ＬＤＰＣ）符号化−復号化方式で該無線ＬＡＮの情報をブロードキャストさせるための通知メッセージを受信するように構成されている。
【０１０２】
ブロードキャストモジュール２２３は、スマート機器から該無線ＬＡＮにアクセスするように構成された該無線ＬＡＮの情報を、非ＬＤＰＣ符号化−復号化方式でブロードキャストするように構成されている。
【０１０３】
本実施例では、選択可能な態様として、受信モジュール２２２は、さらに、
該スマート機器から送信された、該無線ＬＡＮの情報を含んだアクセス要求を受信するように構成されている。
【０１０４】
接続モジュール２２１は、さらに、該アクセス要求に基づいて該スマート機器と接続を構築するように構成されている。
【０１０５】
図１１を参照すると、選択可能な態様として、ブロードキャストモジュール２２３は、
非ＬＤＰＣ符号化−復号化方式である指定の符号化−復号化方式が該通知メッセージに含まれている場合には、該指定の符号化−復号化方式で該無線ＬＡＮの情報をブロードキャストする、ように構成された第一ブロードキャストサブモジュール２２３ａ、または、
指定の符号化−復号化方式が該通知メッセージに含まれていない場合には、選択された任意の１つの非ＬＤＰＣ符号化−復号化方式で該無線ＬＡＮの情報をブロードキャストする、ように構成された第二ブロードキャストサブモジュール２２３ｂを含む。
【０１０６】
図１２を参照すると、選択可能な態様として、接続モジュール２２１は、
端末により無線ＬＡＮへのアクセスを要求するとき、該端末と協議して該ＬＤＰＣ符号化−復号化方式を非ＬＤＰＣ符号化−復号化方式に切り替え、該非ＬＤＰＣ符号化−復号化方式で該端末と接続を構築する、ように構成された第一接続サブモジュール２２１ａを含む。
【０１０７】
図１３を参照すると、選択可能な態様として、接続モジュール２２１は、
端末により無線ＬＡＮへのアクセスを要求するとき、該端末と協議して８０２．１１ｎプロトコールを８０２．１１ｂ／ｇプロトコールに切り替え、該８０２．１１ｂ／ｇプロトコールに基づく符号化−復号化方式で該端末と接続を構築する、ように構成された第二接続サブモジュール２２１ｂを含む。
【０１０８】
なお、上述した実施例における装置の各モジュールの具体的な動作形態については、対応の方法の実施例において既に詳細に説明されたため、ここでそれらの詳細を省略する。
【０１０９】
本実施例で提供される上記装置によれば、端末により無線ＬＡＮへのアクセスを要求するとき、該端末と接続を構築すると共に、該端末から送信される通知メッセージであって、非低密度パリティ検査符号（ＬＤＰＣ）符号化−復号化方式で該無線ＬＡＮの情報をブロードキャストさせるための通知メッセージを受信し、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１１０】
図１４は、例示的な別の実施例に係る、アクセスを制御する装置を示すブロック図である。図１４を参照すると、該装置は、プロセッサ６０１、およびプロセッサが実行可能なコマンドを記憶するメモリ６０２を含む。
【０１１１】
該プロセッサ６０１は、
無線ＬＡＮへのアクセスを要求するとき、自機とルータとの間で低密度パリティ検査符号（ＬＤＰＣ）符号化−復号化方式を用いて通信するか否かを検出し、
自機と該ルータとの間でＬＤＰＣ符号化−復号化方式を用いて通信することを確定できたときに、該ルータと接続を構築し、
スマート機器から該ルータを介して該無線ＬＡＮにアクセスするための該無線ＬＡＮの情報を非ＬＤＰＣ符号化−復号化方式でブロードキャストさせるように該ルータに通知する、ように構成されている。
【０１１２】
図１５は、例示的な別の実施例に係る、アクセスを制御する装置８００を示すブロック図である。装置８００は、例えば携帯電話、コンピュータ、デジタルブロードキャスト端末、メッセージ送受信機器、ゲーム操作プラットフォーム、タブレット機器、医療機器、健康機器、ＰＤＡ（Ｐｅｒｓｏｎａｌ  Ｄｉｇｉｔａｌ  Ａｓｓｉｓｔａｎｔ）などである。
【０１１３】
図１５を参照すると、装置８００は、プロセッサアセンブリ８０２、メモリ８０４、電源アセンブリ８０６、マルチメディアアセンブリ８０８、オーディオアセンブリ８１０、入力／出力（Ｉ／Ｏ）インターフェース８１２、センサアセンブリ８１４、および通信アセンブリ８１６のうちの１つまたは複数を含んでもよい。
【０１１４】
プロセッサアセンブリ８０２は、通常では装置８００の全体的操作、例えば表示、電話呼出、データ通信、カメラ動作や記憶動作に関する動作を制御する。プロセッサアセンブリ８０２は、上述いずれかの実施例で提供される方法の全てまたは一部のステップを完成させるコマンドを実行する１つまたは複数のプロセッサ８２０を含んでもよい。また、プロセッサアセンブリ８０２は、プロセッサアセンブリ８０２と別のアセンブリとの間のインタラクションを処理するための１つまたは複数のモジュールを含んでもよい。例えば、プロセッサアセンブリ８０２は、マルチメディアアセンブリ８０８とプロセッサアセンブリ８０２との間のインタラクションを処理するためのマルチメディアモジュールを含んでもよい。
【０１１５】
メモリ８０４は、装置８００における動作をサポートする各種のデータを記憶するように構成されている。これらのデータは、例えば、装置８００において動作する何らかのアプリケーションまたは方法のコマンドや、連絡先データ、電話帳データ、メッセージ、画像、映像などを含む。メモリ８０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク若しくは光ディスクなど、いかなるタイプの揮発性若しくは非揮発性の記憶デバイス、またはこれらの組み合わせにより実現され得る。
【０１１６】
電源アセンブリ８０６は、装置８００の各アセンブリに電力を供給する。電源アセンブリ８０６は、電源管理システムと、１つまたは複数の電源と、装置８００のために電力を生成、管理及び分配を行う関連のアセンブリと、を含んでもよい。
【０１１７】
マルチメディアアセンブリ８０８は、装置８００とユーザとの間で出力インターフェースを提供するスクリーンを含む。一部の実施例において、スクリーンは、液晶モニター（ＬＣＤ）やタッチパネル（ＴＰ）を含んでもよい。スクリーンは、タッチパネルを含む場合、ユーザからの入力信号を受付けるタッチスクリーンとして実現されてもよい。タッチパネルは、タッチ、スライド、及びタッチパネル上のジェスチャを検出可能な１つまたは複数のタッチセンサを含む。前記タッチセンサは、タッチ或はスライド動作のエッジだけではなく、前記タッチ或はスライド動作に関する継続時間及び圧力も検出できる。一部の実施例において、マルチメディアアセンブリ８０８は、１つのフロントカメラ及び／又はリアーカメラを含む。装置８００が例えば撮影モード或は映像モード等の操作モードである場合には、フロントカメラ及び／又はリアーカメラは、外部からのマルチメディアデータを受信することができる。フロントカメラおよびリアーカメラのそれぞれは、１つの固定された光レンズ系、或は可変な焦点距離および光学ズーム機能を有するものであってもよい。
【０１１８】
オーディオアセンブリ８１０は、オーディオ信号を入力／出力するように構成されている。例えば、オーディオアセンブリ８１０は、装置８００が呼出モード、記録モード、及び音声認識モード等のような動作モードであるときに外部のオーディオ信号を受信するように構成されたマイク（ＭＩＣ）を含む。受信されたオーディオ信号は、さらにメモリ８０４に記憶されるか、通信アセンブリ８１６を介して送信されてもよい。一部の実施例において、オーディオアセンブリ８１０は、オーディオ信号を出力するためのスピーカーをさらに含む。
【０１１９】
Ｉ／Ｏインターフェース８１２は、プロセッサアセンブリ８０２と周辺インターフェースモジュールとの間のインターフェースを提供するものである。上記周辺インターフェースモジュールは、キーボード、クリックホイール、ボタン等であってもよい。これらのボタンは、ホームボタン、音量ボタン、起動ボタン、ロッキングボタンを含んでもよいが、これらに限定されない。
【０１２０】
センサアセンブリ８１４は、装置８００の各方面の状態評価に供するための１つまたは複数のセンサを含む。例えば、センサアセンブリ８１４は、装置８００のＯＮ／ＯＦＦ状態や、装置８００における例えばディスプレイやテンキーパッドのようなアセンブリの相対的位置を検出できる。また、センサアセンブリ８１４は、装置８００や装置８００におけるアセンブリの位置変化、ユーザと装置８００との接触の有無、装置８００の方位若しくは加速／減速、および装置８００の温度変化も検出できる。センサアセンブリ８１４は、いかなる物理的接触も無い場合に周辺物体の存在を検出するように構成された接近センサを含んでもよい。さらに、センサアセンブリ８１４は、画像生成アプリケーションに用いられるＣＭＯＳ又はＣＣＤ画像センサのような光センサを含んでもよい。一部の実施例において、該センサアセンブリ８１４は、さらに加速度センサ、ジャイロスコープセンサ、磁気センサ、圧力センサ、及び温度センサを含んでもよい。
【０１２１】
通信アセンブリ８１６は、装置８００と他の機器との間で有線又は無線方式の通信を提供するように構成される。装置８００は、例えばＷｉＦｉ、２Ｇ、３Ｇ或はそれらの組み合わせのような、通信規格に基づく無線ネットワークに接続されてもよい。例示的な一実施例において、通信アセンブリ８１６は、ブロードキャストチャネルを介して、外部のブロードキャスト管理システムからのブロードキャスト信号、又はブロードキャストに関する情報を受信する。また、例示的な一実施例において、前記通信アセンブリ８１６は、近距離通信を促進するための近距離無線通信（ＮＦＣ）モジュールをさらに含む。ＮＦＣモジュールは、例えばＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術や、他の技術に基づいて実現されてもよい。
【０１２２】
例示的な一実施例において、装置８００は、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子デバイスによって実現されるものであり、上記いずれかの実施例で提供される方法を実行する。
【０１２３】
また、例示的な一実施例において、コマンドを含んだ一時的でないコンピュータ読み取り可能な記憶媒体として、例えば、装置８００のプロセッサ８２０により実行されることで、上記いずれかの実施例で提供される方法を完成させるようなコマンドを含んだメモリ８０４をさらに提供する。前記一時的でないコンピュータ読み取り可能な記憶媒体は、例えば、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスクおよび光学データ記憶機器等である。
【０１２４】
一時的でないコンピュータ読み取り可能な記憶媒体に含まれたコマンドがモバイル端末のプロセッサにより実行されることで、該モバイル端末が上記いずれかの方法を実行することが可能となる。
【０１２５】
本実施例で提供される前記一時的でないコンピュータ読み取り可能な記憶媒体によれば、無線ＬＡＮへのアクセスを要求するとき、自機とルータとの間で低密度パリティ検査符号（ＬＤＰＣ）符号化−復号化方式を用いて通信するか否かを検出し、自機と前記ルータとの間でＬＤＰＣ符号化−復号化方式を用いて通信することを確定できたときに前記ルータと接続を構築し、スマート機器から前記ルータを介して前記無線ＬＡＮにアクセスするための前記無線ＬＡＮの情報を非ＬＤＰＣ符号化−復号化方式でブロードキャストさせるように前記ルータに通知する。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１２６】
図１６は、例示的な別の実施例に係る、アクセスを制御する装置を示すブロック図である。図１６を参照すると、該装置は、プロセッサ７０１、およびプロセッサが実行可能なコマンドを記憶するメモリ７０２を含む。
【０１２７】
該プロセッサ７０１は、
端末により無線ＬＡＮへのアクセスを要求するとき、該端末と接続を構築し、
該端末から送信される通知メッセージであって、非低密度パリティ検査符号（ＬＤＰＣ）符号化−復号化方式で該無線ＬＡＮの情報をブロードキャストさせるための通知メッセージを受信し、
スマート機器から該無線ＬＡＮにアクセスするための該無線ＬＡＮの情報を非ＬＤＰＣ符号化−復号化方式でブロードキャストする、ように構成されている。
【０１２８】
図１７は、例示的な別の実施例に係る、アクセスを制御する装置１９００を示すブロック図である。装置１９００は、例えばサーバーとして提供されてもよい。図１７を参照すると、装置１９００は処理アセンブリ１９２２を含み、処理アセンブリ１９２２は、１つまたは複数のプロセッサと、処理アセンブリ１９２２が実行可能な例えばアプリケーションのようなコマンドを記憶するためのメモリ１９３２に代表されるメモリリソースと、を含む。メモリ１０３２に記憶されているアプリケーションは、１セットのコマンドごとのモジュールを１つまたは１つ以上含んでもよい。また、処理アセンブリ１９２２は、上記いずれかの実施例で提供される方法を実行するためのコマンドを実行するように構成されている。
【０１２９】
装置１９００は、装置１９００の電源管理を実行するように構成された電源アセンブリ１９２６と、装置１９００をネットワークに接続させるように構成された有線または無線のネットワークインターフェース１９５０と、入力／出力（Ｉ／Ｏ）インターフェース１９５８とを含んでもよい。また、装置１９００は、メモリ１９３２に記憶されているオペレーションシステム、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭまたは類似のシステムに基づいて動作してもよい。
【０１３０】
本実施例で提供される上記装置によれば、端末により無線ＬＡＮへのアクセスを要求するとき、該端末と接続を構築し、該端末から送信される通知メッセージであって、非低密度パリティ検査符号（ＬＤＰＣ）符号化−復号化方式で該無線ＬＡＮの情報をブロードキャストさせるための通知メッセージを受信し、スマート機器から該無線ＬＡＮにアクセスするための該無線ＬＡＮの情報を非ＬＤＰＣ符号化−復号化方式でブロードキャストする。これにより、ＬＤＰＣ符号化機能を備えないスマート機器でもルータを介して無線ＬＡＮにアクセスすることが可能となり、スマート機器が受信したＬＤＰＣ符号化方式のブロードキャスト報知メッセージを識別できないためにアクセスが失敗することを回避できる。
【０１３１】
なお、当業者は、本明細書に開示された発明内容を参照し実施することにより、本発明の他の実施形態を容易に見出せる。本願は、本発明のいかなる変形、用途、又は適用可能な変化を包含することが意図されている。当該いかなる変形、用途、又は適用可能な変化は、本発明の一般的原理に従うものであり、且つ本明細書に開示されていない本技術分野における公知常識や慣用の技術的手段を含む。明細書及び実施例は、あくまでも例示的なものであると理解されるべきである。本発明の真正の保護範囲および精神は、特許請求の範囲により特定される。
【０１３２】
また、本発明は、上記の記載と共に図面に開示された構成に限定されるものではなく、本発明の範囲を逸脱しない限り、様々な改修又は変更が行えることが理解されるべきである。本発明の範囲は、特許請求の範囲のみにより規定される。 
【国際調査報告】
2017520206.tif 000020
2017520206.tif 000021
2017520206.tif 000022
2017520206.tif 000023